(57)【要約】次のもののための方法およびシステム：そのルーティングおよび配信ネットワークからの他の身元確認可能でない電子メールをフィルターする間に、それらの指定目的地クライアント・フォルダー/インターフェースへのそのような識別された電子メールあるいは他の特殊扱いのソートされたルーティングと排他的な配信を含む電子メールシステムで、特に電子メール(「電子メール」)を識別することのための特別基準、コード・セットおよび取り扱い;さらに、インターネットで直接送信及びマーケティングための方法およびシステムで、ユーザー名前およびアドレスリスト、或いは、加入者および顧客データ・ベース、又はそれぞれの電子メールおよびインターネット・サービス・プロバイダーのリストから抽出するか一致させるか追加することのできる人口分析データ・ベース (一致した名前およびアドレスの電子メール、あるいは目標が定められるIPアドレス)等が含まれる；また電子メール用のグラフィックスバナースタイル電子メール「バナー」;また他のインターネット・マーケティングおよび電子メール方法およびシステム。
2005506604.tif 000002
【特許請求の範囲】
【請求項１】
コンピューター・ネットワークによって受け取られた電子メールを管理する方法：コンピューター・ネットワークによって電子メールを受け取ること;前もって定義したコード・セット(電子メールの処理を定義するコード・セット)に受信電子メールが一致するかどうか決めること;受信電子メールが前もって定義したコード・セットに一致する場合に受信電子メールに含まれていたコードの検索;また、検索されたコードによる受信電子メールに処置を講ずること。
【請求項２】
この方法は検索されたコードにあるクレーム1によって他のものと受信電子メールを識別するために電子メールリストに表示された時電子メールを強調する指示を表わす。
【請求項３】
この方法はそこで検索されたコードにあるクレーム１によってレギュラー・インボックス・フォルダーと異なるフォルダーへ受信電子メールを送る指示を表わす。
【請求項４】
この方法はそこでコード・セットにあるクレーム１によって多くの前もって定義したカテゴリーのうちの1つへの電子メールのルーティングを定義する。その操作ステップは次のように：検索されたコードに基づいた受信電子メールの決定；そして、断固としたカテゴリーに関連した電子メールフォルダーへ受信電子メールをルートする。
【請求項５】
さらに方法はクレーム４によって、関連するフォルダーが存在しない場合に関連するフォルダーを作成する。
【請求項６】
方法はクレーム４によって、さらに関連するフォルダーが存在しない場合に関連するフォルダーを作成する。そこで一つか多くのビルズカテゴリー、申込カテゴリー、選択カテゴリー及び広告カテゴリーの１つ以上を含んでいる。
【請求項７】
方法はクレーム1によってさらに、受信電子メールの送信器を確証すること。
【請求項８】
コンピューター・ネットワークによって、受信された電子メールを分類する方法で：コンピューター・ネットワークによって電子メールを受け取ること;前もって定義したコード・セット(多くの前もって定義したカテゴリーのうちの1つへの電子メールのルーティングを定義するコード・セット)に受信電子メールが一致するかどうか決めること;受信電子メールが前もって定義したコード・セットに一致することが決意する場合に受信電子メールに含まれたコードの検索; 検索されたコードに基づいた受信電子メールの決定；そして、断固としたカテゴリーに関連した電子メールフォルダーへ受信電子メールをルートする。
【請求項９】
この方法は検索されたコードにあるクレーム８によって他のものと受信電子メールを識別するために電子メールリストに表示された時電子メールを強調する指示を表わす。
【請求項１０】
クレーム8による方法、更に関連するフォルダーが存在しない場合に関連するフォルダーを作成すること
【請求項１１】
クレーム8による方法、関連するフォルダーが存在しない場合に関連するフォルダーを作成して、さらにそこで一つか多くのビルズカテゴリー、申込カテゴリー、選択カテゴリー及び広告カテゴリーの１つ以上を含んでいる。
【請求項１２】
クレーム8による方法、受信電子メールの送信器を確証すること
【請求項１３】
ユーザの選択されたグループを目標とする方法で：販売業者から、多くの個人インターネット・サービス・プロバイダー(ISP)識別データによって受け取ること;販売業者からマーケティング材料を受け取ること;ISPに加入者の識別データと一致する識別データを持っている加入者を確定するために個人の識別データを比較すること;また各一致した加入者へのマーケティング資料を含んでいる電子メールをISPで送信すること。
【請求項１４】
電子メールで交流する方法：バナー部分がある各電子メールで一つ以上の電子メールを受け取ること;ユーザから受信電子メールの電子メールリストを見るリクエストを受け取ること;そして電子メールリスト中の各電子メールのために、バナー部分の表示、その電子メールをオープンするユーザに先立ったグラフ式のバナーフォーマットでの各電子メール。
【請求項１５】
そこでバナーがJAVA、XMLあるいはHトレードマークLコードを含んでいる、クレーム14による方法。
【請求項１６】
さらに次のものを含んで、クレーム14による方法：表示された電子メールのうちの1つのユーザ選出を受け取ること;また選択された電子メールをオープンすること。
【請求項１７】
無名で電子メール送信器と対話する方法：レシーバーから、レシーバー電子メールアドレスへ送られた送信器からの最初の電子メールに無名で答えるためにリクエストを受け取ること;送信器に、レシーバーの代用電子メールアドレス(レシーバー電子メールアドレスとは異なっている代用アドレス)を使用して、返答電子メールを送信すること; 送信器から別の電子メールを受け取って、返答電子メールに応じて代用電子メールアドレスへ記入する；そして、レシーバー電子メールアドレスを備えたレシーバーへ第２の電子メールを送信する。
【発明の詳細な説明】
【技術分野】
【０００１】
関連する申請に相互参照する。
【０００２】
この申請は、臨時の申請号60/277,651へのプライオリティを請求します、2001年3月22日にファイルされた。そして臨時の申請号60/322、455、2001年9月17日に、ファイルされた、参照によってそれらの全体にここに組み入れられる両方。
【０００３】
その発明は次のエリアに：電子メール(電子メール)システム、電子メールアドレスおよびデータ・ベース合併すること、写像および追加;またさらにインターネット広告およびマーケティング等。
【背景技術】
【０００４】
その発明は様々なシステム、電子メールおよびオンライン・マーケティング用方法に備えます。アクセス、ルーティング、配信と電子メールのディスプレイが、認可されていない電子メールおよびユーザに完全にコントロールされ閉鎖される場合、それは自給自足の電子メールシステムのためにシステムと方法を含んでいます。それは、個々の電子メールおよび(または)前もって定義した標準に基づいたそれらの送信器用の卓越したシステムおよびコード・セットをインプリメントします。それは、特別の送信表示する手続きを通じてそのような電子メールの配信を可能にする。追加の所有者の標準およびコード・セットが一般的な電子メールとその電子メール用の特殊扱いを識別し提供するために使用される場合、発明の電子メールシステムはインターネット電子メール伝送に関して「者の」電子メールシステムと見なすことができます。電子メールを卓越した方法は、電子メールの様々なタイプのために使用される――のように、選択或いはそれらを送るために電子メール許可に基づいた、それぞれ「選択」目的フォダーあるいはインターフェース。現在の技術のルーティング方法に加えて、その電子メールは目標受取人の電子メールアドレス以外に、送信器と目的電子メールクライアントの間で、少なくとも1つの他の層あるいは前もって定義した識別および取り扱い手段、標準のレベルを持つ。標準、コード・セットおよび目的フォルダーはシステムプロバイダーに所有者かもしれません。さらに、そのような標準、コード・セットおよび目的地フォルダーの不正使用は、サービスの侵入および窃盗であると考えることができます。
【０００５】
発明の電子メールアドレス追加、写像方法およびシステムはデータを合併し従来のダイレクト・マーケティング/メイルの間に人口分析データ・ベース、電子メールおよびインターネット・サービス・プロバイダー(集団的にISP)の加入者データ・ベースを備えた顧客リストを写像することを含んでいます。さらに、それは、人口分析リスト(akaダイレクト・マーケティングあるいはダイレクト・メイル・リスト)の使用により、ISPの加入者への多数の人口分析プロフィールおよび値を写像し追加する「逆」を許可する。
【０００６】
さらに、その発明は、現在の技術「テキストに基づいた電子メール」ヘッダーの代わりに使用されるために「グラフィックのバナーのスタイル電子メール」ディスプレイを提供します。色、絵、豊富なテキストおよびイメージはそれによって表示されることができる。
【０００７】
その発明は、ハードウェアかソフトウェア、あるいは両方のコンビネーションの中で実行されるかもしれません。理想的には、その発明は、プログラム可能なコンピューター(プロセッサー、データ記憶システム(揮発性と不揮発性のメモリおよび(または)記憶要素を含んで)および少なくとも1つの入力装置を各々含んで)および1つの出力装置上で実行されたプログラムの中で実行されます。プログラム・コードは記述された機能を実行し、かつ出力情報を生成するデータを入力するために適用されます。出力情報は既知の流行に1つ以上の出力装置に適用されます。
【０００８】
そのようなコンピュータ・プログラムは、一般的特別の目的プログラム可能なコンピューターによって判読可能な記憶メディアか装置(例えばROMあるいは磁気ディスク)上にむしろ格納されます。創造性のあるシステムもコンピュータ・プログラムで形成されて、コンピューター判読可能な記憶ミディアムとしてインプリメントされると考えられるかもしれません、どこで、記憶ミディアム、したがって、形成された、ここに記述された機能を実行する特定であらかじめ定められたやり方でコンピューターを作動させます。
【０００９】
現在の発明の多くの実例は記述されました。しかしながら、様々な修正が、発明の精神および範囲から外れずになされるかもしれないことは理解される。従って、それは理解されることになっています、その発明は特定の絵入りの実例によって制限されていません。
【特許文献１】
米国特許出願番号20020002590
【特許文献２】
米国特許第6,167,435号
【特許文献３】
米国特許第6,052,709号
【特許文献４】
米国特許第6,199,102号
【特許文献５】
米国特許第6,112,227号
【特許文献６】
米国特許第6,070.147号
【発明の開示】
【課題を解決するための手段】
【００１０】
発明開示はセグメントの中で組織されます、リーダは、それぞれのセグメントの中で提供される方法およびシステムのうちのいくつかがそうでありえることを認識することができます、単独で立っている、あるいはともに使用されました。
【００１１】
電子メールシステムズおよび方法の背景
毎日の郵便メールがすべて総計中へなられ、受取人に送信された場合、想像する「単一の封筒」i.e。どこで、個人の一致、ビルズ、申込、ジャンクメイル、――別々にパッケージでなかったが、単一の総計封筒に受取人に個人的にアドレスした。特に問題、様々なメイルおよび受取人をソートすることは大きな不便でしょう、ジャンクメイルからのより大きな不便を感じてもよい。ある意味では、現在の単一の電子メールインボックスシステムおよび開いた送信プラットフォーム(受取人のアドレスを持った誰もへの)は、この「単一の封筒」に似ています。
【００１２】
現在の技術は既存の配信チャンネルおよび目的地電子メールフォルダーを閉鎖するか、フィルターするか、保護することを提供します。代わりに、その発明は、デフォルトにコントロールされるアクセス、送信および使用法による「defacto」個別の送信チャンネルおよび目的地フォルダーを作ります。したがって、それはコントロールを提供します、何の上に「コントロールすることができません」(例えば「スパム」)何をコントロールすることができるかコントロールすることによって、つまり「正当な」送信器の電子メール。
【００１３】
現在の技術。「電子メールフィルタリング：電子メールフィルターは、指定された基準(あなたによって指定された)、異なるフォルダーへあなたの電子メールをソートするような自動的に上演できる様々なアクション、あなたの友達上への進める特別のメッセージ、その他を使用して、入って来るメッセージを走査します。警告の単語：もし適切にインプリメントされれば、電子メールフィルタは強力なツールで、もし不注意で使用されれば電子メールを失う容易な方法、したがって、注意深く歩く!一つがフィルタを使用して遂行することができる種のものの例として、次の指示は、私たちの電子メール送信トカゲによってスパムと呼ばれた電子メールをつかむためにフィルタをセット・アップすることによって、あなたを歩かせます。私たちが容易にそれらに気づくことができ、従ってフィルターすることができるように、トカゲ・タグは、特別の追加の電子メールヘッダーを備えたスパム電子メールを疑いました。」出所：
http：//www.dnai.com/helpdesk/mailandnews/email_filtering/
まだ、他の現在の技術は次のとおりです：
U.S. Pat. No. --6,167,435。「情報分配サービスへの申込を確認するダブルopt-in.トレードマーク.方法およびシステム。」「特別の加入者アドレスの申込要請が受け取られる場合、アドレスに関連したユニークな印は生成されます。また、印を含んでいる立証メッセージは、指定の申込emailアドレスに送られます。」
U.S. Pat. No.--6,052,709。「求められない電子メールのコントロールする送信用、装置および方法、どこで、1つ以上のスパム、emailアドレスを調査する、電子メール上の様々なサイトで作成され設けられる、ネットワークにつな、大規模な電子ジャンクメイル(「スパム」)メーリング・リスト上のそれらの包含を保証するためだ」
U.S. Pat. No.--6,199,102。「現在の発明はシステム、および求められない電子商用メッセージをフィルターする方法を提供します。」
U.S. Pat. No.--6,112,227。「方法は、目的地クライアントへの望まれない電子メールメッセージの送信を防ぐために提供されます。」
電子メールで2002年3月18日上のwww.businessweek.comシリーズから抜粋された付加的な関連する情報：
「策略はありません。スパムおよびポルノ・メイルは、さらに正当な電子メール販売業者による増加する攻撃の下にあります。ダイレクト・マーケティング連合(産業貿易グループ)は、1月後半にユニークなアイデンティファイアーとして役立つことができる特別の特徴を含むことをマーケティング電子メールすべてに要求する、新しい規則を採用しました。新しい規則は、spammersを遮り正当な電子メールを識別するために会社を受け取るための容易な方法を作成することを目指します。」
「また、それは会社を越えてセット期間の後に空になることを従業員のインボックスに要求する政策を強化しに行きます。もっと正確に言えば、ビジネスは、禁制のものとしてユーザがいくつかのフォルダーを指定することを可能にることができるソフトウェアに今面しています--また、それは、一定の期間の後にそれらの電子メールの残りを拭くことができます。同様に、電子メール販売業者は、米国電子メールシステムの多くからspammers(理論上少なくとも)を維持する、正当なオペレーションの登録を作成することを期待しています。」
「．．．しかし、その問題がジャンクまたはボリュームでも、結果は同じです：ますます、人々のように(この人は100を越える電子メールを得る、毎日通信する)彼らが望むかもしれないピッチさえ合わせている、それらにメイルを送る許可を願った会社から見る。」「強健な成長。「それは問題です、私たちは産業として扱う必要があります。」マイケルMayor(主要な電子メールマーケティングリストプロバイダーNetCreationsの社長および最高業務責任者)は言います。「あなたのメッセージを作ること、外にそこにある何百もの他のメッセージ中に目立つ、挑戦にますますなるだろう。」」
「それは単により悪くなるでしょう。Jupiterメディアメトリックスは、各インターネット・ユーザが2001年に571のスパム・メッセージをと推測します。2006年までに、それは、その数が1,500まで上昇することを予期します。」「ISP(彼らは、スパムに対する戦いでの最前線上にいる)にとって、コストはさらに高い。市場調査員Gartnerからの1999年の報告書によれば、100万人の顧客とのISPは、それが失うものを交換するためにより高い回復および増加した顧客取得原価により収入で600万ドル以上を毎年失う。新しいハードウェア、ソフトウェア、およびスパムとの戦いに専心的な人員のためにその500,000ドルに加えてください。2001年の欧州連合の研究によれば、スパムのコストは、今世界的に年間約8.6ドルになります。」「長期間上に楽観論のある理由があります。Ferris研究のFerrisは今後5年スパムとの戦い中の主要兵器はデジタル署名でありえますといいます。これらの電子パスポートは、受け取っているメッセージが現実にメッセージが、それがそうであると言う人からであることを確認します。よりすぐに、後のではなく、Ferrisはデジタル署名のない送信器から企業および経験豊富なユーザがメイルを受理しないだろうと予言します「私と連絡をとる十分な理由を持った人々はそれら自身を識別することができるべきです」と彼が言います。「彼が誰か誰かが私に伝えなければ、彼は恐らく不名誉な人です。」」 抜粋の終了。
【００１４】
さらに、そこに、でした．．．「スパムのすべての部分が含まなければならないように法則を作ることを試みる、1つの、求められないものとしてそれを識別するメッセージヘッダー中の特定の数の情報。」新しいガイドラインおよび規則は作成されるかもしれませんが、求められない商用容積電子メールを防ぐか、スパムアイデンティファイアーの使用を強要することが不可能であるように見えます。
【００１５】
他の提案された解決策は、電子メールに札を付けるためにアイデンティファイアーの使用を示唆します。例は2001年8月16日にダイレクト・マーケティング・ニュースの中で公表された記事です――販売業者、「Hotmailとの対話を開始する電子メールニュースレター出版者および通信するサービス・プロバイダーのコンソーシアムを要求した、望まれない局払い割引郵便を識別し、かつopt−in方法に作用するYahooおよびAOL、ニュースレター。その(販売業者)電子メールプロバイダーが使用することができるある種の「書留郵便物」コード(それはフラグを立てるだろう)を提供することができることを示唆した、opt−in、メイル、またそれをインボックスへ渡す。」さらに、ダイレクト・マーケティング連合(アメリカのダイレクト・マーケティング産業のための最大の産業貿易グループ)がユニークなアイデンティファイアーとして役立つことができる特別の特徴を含むことをマーケティング電子メールすべてに要求する、遅い1月の(2002)の中の新しい規則を採用しました。新しい規則は、spammersを遮り正当な電子メールを識別するために会社を受け取るための容易な方法を作成することを目指します。さらに、同じリリース、ダイレクト・マーケティング連合で「それらは他のチャンネルを通って取引しましたが、電子の接触のための許可を与えてはならない顧客のもとへ電子メールを送ることを考慮に入れます」――それは、現在まで、任意に電子メールアドレスを提示する行為がその使用のための許可、ビジネスの顧客名の一層の写像およびアドレスを与えていたと一つが主張することができるので、、これらの電子メールアドレスがどのように得られるか言いませんでした、opt-in電子メールリストにリストする、あまり信頼で信きない、そしてopt-in電子メールリスト、不足正確な通りその発明はこれらの解決策を含んでおり、個別の目的地フォルダーを提供し特定の主題、カテゴリーおよび送信器に基づいた電子メールの識別することができ、扱うことによりさらに行きます。その発明は、さらにその標準とコードのセットの認可されていない使用の可能性を防ぐか縮小するためにコード・セット、タグおよび他のそのような卓越した手段を暗号化し確証する方法を含んでいます。
【００１６】
発明によって解決された問題のうちのいくつかは一般的な電子メールの成長しているボリュームをアドレスしシステム、および一般的な電子メールとある電子メールおよびその送信器を識別し分離する方法に備えることを含んでいます。解決された別の問題は求められていない商用容積電子メール(「スパム」)を送るためにそのようなシステムの使用を提案することか、あるいは「正当な」広告主から特別の指定の目的地フォルダーまで直接の懇請電子メールとして知られています。
【００１７】
それはそのようなコード・セットおよび基準を使用せずに、他の一般的な電子メールとは異なるある電子メールおよび送信器を認識し特に扱うために、発明者と目的地デリバリーサービスの間で使用されるために方法、ユニークなコード・セット用システムあるいは電子メールシステムのための基準を提供する発明の目的です。
【００１８】
それは、電子メールと目的地の電子メールシステムの発明者間で使用されるために作成する(前もって定義した主題、カテゴリーあるいは他の特性に基づいた電子メールの準備ができていた標準、およびコード)ために、方法とシステムを提供する発明の目的です。多数の送信器および多数の目的地電子メールシステムは、1つの目的地電子メールシステムにセットされたか特定だったそのような標準、およびコードを使用することができます。
【００１９】
それは、電子メールへセットされ、特別の目的地フォルダーへのルーティングを含むそのような電子メールの特殊扱いを提供したユニークなコードを作成し挿入するために方法とシステムを提供する発明の目的です。
【００２０】
それは、システムのコード・セットおよび標準を使用して、送信器およびそれらの電子メールだけにアクセス可能なインターネットに関する電子メールシステムに方法とシステムを供給する発明の目的です。
【００２１】
それは付きまとって、コード・セットの多数のレベルにシステムと方法を供給する発明の目的あるいはコード化するシステムで、取り扱いおよび電子メールのルートさせることのための様々な指示に対する準備。
【００２２】
それは、主題、カテゴリーあるいは送信器特別目的地フォルダーに方法とシステムを供給する発明の目的です。
【００２３】
それは加入者の家かポータル・ページに、電子メールクライアント・メニューバー(ブラウザー棒)の中に、発明のユーザ・フォルダーおよび含めて位置するインターフェースのために、方法とシステムを提供する発明の目的です;対話型テレビシステム上で場合――電子プログラム・ガイド・スクリーン、電子メールクライアント・スクリーン(リモート・コントロール上の専用キーからアクセス可能)上でそのとき;無線の電子メールおよびインターネットアクセス装置をさらに含んでいること。
【００２４】
それはシステムおよびそのコード・セットを使用して、個別の受信で表示するフォルダーあるいはopted−in、許可基づいた電子メールのためのインターフェースを持つ方法のための発明のオブジェクトです。
【００２５】
それはシステムおよび個別の受信で表示するフォルダーを持つ方法のための発明のオブジェクトです。あるいは、求められない(あるいは直接の懇請)コマーシャルのためのインターフェースはそのコード・セットを使用して、電子メールを放送したか、目標としました。
【００２６】
それはシステムおよび、それらの所有者のローカルとウェブユーザ・インターフェースに電子メールおよびインターネット・サービス・プロバイダーによってそのプログラムおよびアプリケーションをインストールする方法のための発明のオブジェクトです--ローカルとウェブ電子メールクライアント、ポータル・ぺージなどのように。しかしながら、エンドユーザは別々に発明のアプリケーションをインストールすることができます。
【００２７】
それはシステム、およびそのユニークなコード・セットあるいはアイデンティファイアーを運んでいない、すべての電子メールの貯蔵場になる目的地フォルダー用方法のための発明のオブジェクトです、そして受取人の接触ディレクトリーあるいはデータ・ベースにある送信器のアドレスと「送られたすべての受取人の」電子メールアドレスではない。そのようなフォルダーはUnRecognized」フォルダーであると考えることができます。そのようなフォルダーはさらに未承認の容積に送られたメイルのために分割することができます。また、非容積はメイルを送りました。
【００２８】
それは、そのようなコード・セットの認可されていないコピアおよびユーザが著作権法に違反してあるために、電子メール身体に挿入されて見えるコード・セット、コードおよびタグのために著作権を取る保護を使用するこの発明の別の目的です。
【００２９】
それはさらにそのコード・セットあるいは標準と不正使用を区別し保護するために認証および(または)暗号化システムを使用するこの発明の別の目的です。
【００３０】
上記と他の目的はこのドキュメントに示されます。これらおよび発明の他のオブジェクトは、発明、伴う図面および追加されたクレームの次の詳細な記述からの技術に熟練している人々に明白になります。
【００３１】
オンライン目標の背景、そして直接e-mail/売買
様々なサービスおよび解決策があります、オフラインでかつオンライン、公に市場を向けるためにビジネスによって使用されました。これらの中で、従来のダイレクト・マーケティング・チャンネルおよびその人口分析の(ダイレクト・マーケティング/メイル)データ・ベースは最も使用されて依存しました、で、によって、大規模なビジネスに小さな電子メールチャンネル経由のダイレクト・マーケティングは要求します、獲得あるいは電子メールアドレスの追加すること――現在、これらは中へ得られます、1つの、一つずつプロセス。その発明は、オンライン・ダイレクト・マーケティングのために使用されるために従来の人口分析のプロフィール・データ・ベース(それらの不足はアドレスをemailする)の困難さに取り組みます。その発明は、さらに獲得用の現在の欠乏および電子メールアドレスの追加することに取り組みます。
【００３２】
その古いか、従来か、オフライン世紀、アメリカのダイレクト・マーケティング産業はある長所を持ちます、それらのオンライン、あるいはインターネット資料収集相当物。これはより客観的・より具体的な資料収集および輪郭を書く方法を含んでいます。「消費者が製品かサービスを買うか受け取るために彼らの名前およびアドレスを提供するごとに、それらが1つ以上のメーリング・リストに加えられているという可能性があります。彼らが自動車を買うか、新しいアドレスへ移動するか、赤ん坊があるか、カタログで購入を作るか、チャリティーに金銭を与えるか、製品登録カード、それらの名前、コンピューター・データ・ベースに入力されるだろう」
これらのデータはカテゴリー・リストによって利用可能になることができます。例えば、アメリカには追跡する会社、および100Mの世帯のすべての報告された90%についての家情報(200以上の別個のデータ・フィールド)があります。アメリカの主要なダイレクト・マーケティング・リスト・サービス・プロバイダーは、20,000以上のビジネスと消費者のカテゴリーおよび30,000以上のオリジナルのリスト出所があると推測します。これらの専門リストは、貿易ディレクトリー、政府の出所および所有者の出所から得られます。会社がそれらの顧客および見通しの完全な視界を構築することができるように、それらはビジネスにこのデータを売ります。標準産業分類(SIC)コードはさらにこれらをソートすることができます。消費者のプライバシーを保護する [カルと連邦法で従順にあるために、これらの会社(またデータを蓄積するすべての会社)は厳密なプライバシー基準を厳守する必要があります。一般に、リスト・ブローカーは、それらの所有者からのリストをコンパイルし、一度だけのレンタル方式でそれらをそのようなリストの潜在的なユーザに利用可能にします。
【００３３】
人口分析データのためのいくつかのソース：
「通信販売、クレジットカードおよびマガジン。1つの通信販売会社の顧客は他の会社から提示を受け取るでしょう。多くの通信販売会社「賃貸しされます」他のビジネスへのそれらのメーリング・リスト。マガジンが行うように、クレジット・カード会社はさらに彼らのメーリング・リストを借ります。したがって、料理用のマガジンへの加入者は、それら自身がキッチン備品および食物専門のための通信販売カタログを受け取っているのを見つけてもよい。
【００３４】
信用調査所。消費者が取引する会社は、それらがどれくらいを負うか、また、ビルズがどれくらい速やかに払われるかについての信用調査所にデータを供給します。多くの信用調査所がリストを借りている一方、それらは借りのあるもののような特定の情報を示しません、あるいは誰に。もっと正確に言えば、それらは、消費者特性に基づいたリストをコンパイルします。例は40,000ドル以上の収入を持った人々(彼らはクレジットカードを使用し、時間通りにそれらのビルズを払う)のリストになるでしょう。消費者がこのようなカテゴリーに分類されれば、それらはメイルでの「あらかじめ良いとされた」クレジットカード提示を受け取るかもしれません。
【００３５】
最多の共通が求められないメイルにタイプするFLYERS AND ADVERTISING SUPPLEMENTSは、毎週郵便箱に送信される飛ぶものを広告するパケットです。それらはアドレスされます「駐在の」また通常ピザ屋および自動修理サービスのような地域ビジネスの広告を含んでいる。」など
従来の人口分析データ・リストは次のタイプ形式上で提示されます：3. times.5カード、4--チェシア、バーコード、BBS/電子メール、CDジプシー男、]、ディスク、ギャラリーを上へ、P/Sラベル(Magテープ)はあらかじめ分類します。リストの使用法/レンタルの割合は75ドルのCPM(コスト・パー・サウザンド)かもしれません;あるいは1年の無制限の使用法用の150ドルのCPM。さらなる選択、カテゴリー内では、ジェンダー、タイトルによって、ジオグラフィックス、時代などが、追加コストで一般に利用可能です。(Dunhills.com)。
【００３６】
さらに、伝えられるところによれば、別々に電子メールアドレスを得るのに0.50ドルから11ドルかかります。電子メールアドレスなしでは、従来の人口分析データ・ベースはオンライン・マーケティングのために使用することができません。電子メールアドレスを得る現在の方法は一般に通り抜けてあります、opt−in、あるいは許可に基づいたチャンネル。これらの方法は印刷された差し出し人を使用して、マニュアル・プロセスによって電子メールアドレスを得るか、あるいはエリアにオンラインで署名します。そのような獲得の別の欠点はそれです、一般に電子メールアドレスはより頻繁な変更の対象です。他方では、インターネット・サービス・プロバイダーの加入者データ・ベースは100%正確です「そして自由にあらかじめ追加された」電子メールおよびインターネット・サービス・プロバイダーの加入者か顧客の名前およびアドレス・データ・ベースに。
【００３７】
位置以外に、人口分析、電子メールおよびインターネット・サービス・プロバイダーは、それらの加入者の他の人口分析の値を持っていません――年齢のように、経済、サイコグラフィックスなど これらのデータ・ベースが合弁され写像されることを可能にするそれらのデータ分野での1つの共通の要素は、名前、人口分析の(ダイレクト・マーケティング/メイル)データ・ベースの郵便のアドレス、および電子メールおよびインターネット・サービス・プロバイダーの加入者および顧客の名前および請求先です。そのような写像の使用によって――簡潔に人口分析に目標とし、輪郭を書くこと、および送信は、提供したすべてのオンライン世帯に達成されるかもしれません、それらの、郵便、電子メールあるいはインターネット・サービス・プロバイダーへの/請求先。発明、2つのデータ・ベースのユニークな「署名特性」がオンライン送信チャンネル・アドレスと同様に人口分析の値も含んでいる「3番め」データに帰着するために他方の中で欠けるデータを満たすことを可能にします。したがって、その発明は人口分析データ・ベースの最も信頼できて最も正確である源は、最も正確なものおよび完全な電子メールアドレス・データ・ベースと共に使用することができます。
【００３８】
発明者は、電子メールの加入者のデータ・ベースを利用する、すべての現在の技術に気づいていません。また、電子メールのためのインターネット・サービス・プロバイダーは特にダイレクト・マーケティングの目的用の、およびさらに自動プロセスを備えたコンピューター・システム上の関連していない実体によるそのような使用のために、追加する目的をアドレスします。現在まで、ビジネス、広告主およびインターネット産業での販売業者は、opt−inか許可基礎によってのみ電子メールアドレスを得ることに注目しました。したがって、電子メールアドレスが追加されてもnon(opt−in、あるいは許可に基づいた)の使用法に対する現在の人権剥奪が持ったから、それらは加入者データ・ベース写像システムのための「必要」を持っていませんでした、それらがそのようなものを使用するのを防ぎます。したがって、「現在の技術」産業については、電子メールアドレスは問題ではありませんでした、それは得ることでした、許可およびしたがってそれらは「マニュアルおよび項目化された獲得を使用します、また各電子メールアドレスの追加するプロセス。発明はopt−inインプロセスをそのため逆にします、発明はあえてこの方法を使用します、に「自動的に」電子の電子メールアドレスを追加します。
【００３９】
さらに、電子メールとインターネットアクセスのサービスがそれらの加入者データ・ベースに写像を供給するかもしれないと仮定して、広告主あるいは中間のブローカーさえが実際の電子メールアドレスにアクセスすることをそれらが可能にするだろうことは非常にありそうもありません。電子メールアドレスは容易すぎるだろうので、コピーすることができずありえます、逃亡します。したがって、発明は、完全にそれらの加入者電子メールアドレスを安全にするか保護するために電子メールおよびインターネット・サービス・プロバイダー用方法を提供します、しかし一致し、かつ目標とされた送信ことを可能にします。
【００４０】
現在の技術のうちのいくつかは従来のダイレクト・マーケティング産業の個人とビジネスの人口分析のダイレクト・メイル・リストです。人口分析のカテゴリーは主題とカテゴリーによって分けられます。例えば、ダイレクト・マーケティング/メイルディレクトリーの「ビジネス・レスポンス・リスト」は、各々と共に、何百もの主題およびカテゴリーをさらに持っています、より素晴らしく裂けました。例えば、「アーキテクチャー」の下では、セグメント・トピックが「アメリカ建築家協会のメンバー」(52,850の個人目標)から及んでいます、に「ジョン・ワイリー・アンド・サンズ社 アーキテクチャー本バイヤー。」(27,110の個人目標)地理的な人口分析の値はデフォルトによるそのようなリストの別の人口分析の値です。他の技術はより最近です、opt−in、あるいはデータ・ベースおよび人口分析のカテゴリーが本質的にセット・アップされる場合、許可に基づいたリスト、従来のリストと同じ、名前、個人のポータル・アドレスおよび電話番号の代わりにそれ以外は、電子メールアドレスが提供されます。これらのリストは一般に名前およびアドレスに電子メールアドレスに関係していません。opt−inリストあるいは許可に基づくリストによって利用可能な人口分析データは、それらが情報を一般に任意に供給されるので、より主観的に見ることができます。さらにValpak.com。トレードマーク。1つがそれらのウェブサイトでそれらの地理情報(例えば郵便番号)を入力することを可能にします。その後、それらは郵便番号に基づいた提供物を表示します。各上場は次のもののようなカテゴリーによって置かれます：自動車および輸送、美および適合性、娯楽、レジャーなど。
【００４１】
まだ、別の技術はU.S. Pat. No.――6,070.147"Customer識別およびマーケティング分析システム。」どこで――」使用が忠実マーケティングを私的に出したのではなく、カード(それ)をプログラムする、大多数の人口がそれらでいつでも持っている政府身分証明書を使用する。」
まだ、オンライン・ダイレクト・マーケティングおよび送信チャンネル用の別の現在の技術は次のとおりです： U.S. Pat. No.--6.167.435。「情報分配サービスへの申込を確認するDouble opt-in.トレードマーク.方法およびシステム。」「特別の加入者アドレスの申込要請が受け取られる場合、アドレスに関連したユニークな印は生成されます。また、印を含んでいる立証メッセージは、指定の申込emailアドレスに送られます。」別の現在の技術はU.S. Pat. No.--5796395。「個人の利益を公表し探索するためのシステム。」
まだ別の現在の技術、米国特許権申請Ser. No.--20020002590。「現在の発明はシステム、および受取人の物理アドレスに基づいた電子メールをルートさせる方法です。システムは、ユーザのemailアドレスに物理アドレスを写像するデータ・ベースを含んでいる、電子メールサーバーを含んでいます。」
それは一致するシステムおよび方法に供給するべき発明の目的です、1つの、名前とアドレスはリストします、あるいは電子メールとインターネット・サービス・プロバイダーの1人以上の加入者あるいは顧客データ・ベースへの人口分析のカテゴリー一致した名前およびアドレスに電子メールの送信をもたらすためにそれはシステム、および名前とアドレスのアップロードしている方法に供給するべき発明の目的です、提供するために電子メールおよびインターネット・サービス・プロバイダーの加入者データ・ベースを含んでいるデータ・ベースにリストする、その、一致して、自動化された、そして写像、出力することおよび結果を提供する(その後)こと
それ、システムおよび方法に備える発明の目的である、どこで、ユーザ、アップロードするか選択する、また既存の名前およびアドレス、リスト、その後、電子メールおよびインターネット・サービス・プロバイダーの利用可能な加入者データ・ベースの1つ以上を選択する、その後、システム、に、自動的に、バッチ、あるいは名前およびアドレスを送る、選択されたプロバイダーにリストする、その後、写像を終える、出力、その後、ユーザへのそのような結果
上記と他の目的はこのドキュメントに示されます。これらおよび発明の他のオブジェクトは、発明、伴う図面および追加されたクレームの次の詳細な記述からの技術に熟練している人々に明白になります。
【００４２】
電子メール方法およびシステムの概要
現在の電子メールシステムへのあるオーダーおよび管理を提案するために、その発明は、ユニークな標準およびコード・セットの提供および、協力する送信器と目的地電子メールシステムの間で使用される方法の識別により、その電子メールへの区別を作成するでしょう。コード・セットはシステムに様々な情報を供給することができます。そのように、それはさらにそれぞれの目的地へのようにシステムの標準および規則につきルートさせられるか扱われるためにないもの、その後主題あるいは電子メールのカテゴリーから識別するためにそのようなコード・セットを運んでいます、主題の特定のフォルダー。認可されていない送信器あるいは識別されない送信器、ならびに電子メール、それらは受取人の電子メールアドレスを持っていますか、発明の引き渡せるネットワークおよびその目的地フォルダーによってそれらの電子メールの送信を有効にすることができないだろう
様々な方法およびシステムはコード・セットのために使用することができます。これらは含んでいます、領域を送るか、ユニークに目的地電子メールアドレスを修正するスペシャルの使用;電子メールに置かれて、付きまとうかコード化すること。電子メールを起こすシステム(あるいは仲介人か代理)はコード・セットおよびルーティングを挿入するか使用するでしょう。また、目的地電子メールクライアントは相互の認識および取り扱いシステムを持つでしょう。様々な方法およびシステムは、そのようなコード・セットを運ぶ特別の電子メールのフィルタ、ルーターおよびアイデンティファイアー用に使用することができます;そして、目的地ディスプレイ・インターフェース用様々な方法およびシステムを促進してください。そうすれば、フォルダーは提供することができます。
【００４３】
消費者は電子メールの増加するボリュームに直面します。時々、それらは、ないものと選ばれたイン電子メールあるいは許可に基づいた電子メール相違を示す問題があるかもしれません。発明のコード・セットは自動的なソートするスキームを確かに許すでしょう、電子メールの前もって定義したカテゴリー、選ばれたイン許可電子メールから――ビルズ、申込、懇請などを指図するために発明の特別のコード・セット、扱い表示する方法およびシステムは、公のインターネット上で作動する自給自足と、抑制されたアクセス電子メールシステムのためにあります。概して言えば、現在の電子メールフィルタリングおよび閉鎖する技術は開いているか反応的なシステムに基づきます、すなわち、それらは電子メールおよび送信器に反応します、アドレスする、電子メール中のある「キー」言葉、またこれらの方法に基づいた、フィルターすることを試みる、ブロックあるいはルート、それら。代わりに、発明はコントロールされます、あるいは率先したシステム、送信器および受取人があらかじめ作成された標準およびコード・セットを積極的に使用し、あらかじめ一致したところで、で、送信器とそれぞれの目的地電子メールシステムのオペレーターの間で、あるいはによって、1つの、中間、あるいは代理、それらの電子メールおよびそれら自身と一般電子メールおよび送信器を区別するために特殊扱いは含んでいます、前もって定義したカテゴリーに基づいた指定の目的地クライアント・フォルダー。例えば、ビルズとインボイスのための「ビル」フォルダーは電子メール、ニュースのための「申込」フォルダーおよび申込を関連づけました、広告のための「広告」フォルダー――それは促進することができる「ローカルの広告」および「全国広告」に分けられる――さらにローカルの広告フォルダーはさらにありえます「スーパーマーケット」「レストラン」へ裂けた、「プライオリティ」あるいは、など発明スペシャル・コード・セットおよび標準を使用するすべての電子メールはユニークに識別し特に扱い伝えることができます。送信器が目標とされた受取人の電子メールアドレスを持っても、そのコード・セットを運んて、その標準を使用して電子メールは、その目的地送信から閉鎖されるでしょう。好ましい実例では、現在の発明がそれらの指定の目的地フォルダーへのその電子メールを送っている一方、システムは他の多くの実際的な応用に結びつくことができます。例えば、1人のレシーバーアイデンティファイアーおよびfolderingシステムへの1台の送信器はセット・アップすることができます;あるいは人口分析の(ダイレクト・マーケティング/メイル)リスト・レンタル・ディレクトリーの中で個々のカテゴリーの準備ができていた個々のコード。標準の産業コード(SIC)、貿易特効薬コードおよびカテゴリーはさらにこれらを識別しソートすることができます。例えば医学の医者、医学の専門に特に専心的なフォルダーを持っているかもしれない、そのようなコード・セットを使用する多数の未知の送信器からの電子メールは送信器のアドレスにかかわらずそのフォルダーに送信されるでしょう。
【００４４】
その発明はさらに用いられているイントラネットでありえます。例えば、大きな会社は自分の内部ネットワーク上で発明を使用します。それは特定の「顧客x」を作成することができます。あるいは、各々上の「プロジェクトx」電子メールフォルダーはユーザの目的地クライアントを承認しました。これは自動的にその特定のフォルダーへの顧客xに関連する電子メールをすべて送るために使用することができます。フォルダーは公共のフォルダーになることができ、認可されたユーザの間で共有しました。そのようなものの別の使用は、そのようなアイデンティファイアーを備えた電子メールをすべて別々に格納することができ、親パーティーにかかわらず検索したということです。
【００４５】
発明の指定の目的地フォルダシステム用の類似。何、場合、メール・ボックスがある主なカテゴリーのメイルのための個別の指定の目的地コンパートメントを持つところで、従来の郵便メールサービスおよび郵便送信人はそれらの引き渡せるネットワークの中ですべての世帯用の仕切られたメイル送信箱の新システムをセット・アップします：個人のメイル、申込、ビルズおよび広告、そして郵政省がこれらのカテゴリーに基づいたメイルを自動的にソートするところで、さらに。その後、受取人が準備ができていて、それらを見ることに興味を持っているまで、広告が保存される場合、受取人は彼らの余暇で各コンパートメントへ行くことができます。これは実際的ではありません、オフライン、しかしながら、発明システムは電子メールにそのようなものを供給する。
【００４６】
その発明は1つの特定の目的地クライアント・カテゴリー・フォルダーをセット・アップするか、あるいは多数の種類を許すことができます。場合、1つのカテゴリー・フォルダー、それは直接の懇請のためにありえます。例えば、発明のシステムを起こすダイレクト・マーケティング電子メールはすべてアイデンティファイアーを運ぶでしょう、発明目的地クライアントアプリケーションは、その専用目的地フォルダーへのそのような電子メールを送るでしょう。
【００４７】
別の変化では、システムが2つの主なカテゴリー、すべての広告(つまり、ローカル、に、国立、opt−in、あるいは求められない)用のカテゴリーおよび基づいた他のすべての非広告用の別のものを持つことができます、選んだイン、電子メール(例えば申込、ビルズ、通知)。あるいは、個々のカスタマイズされたコード・セットあるいはアイデンティファイアーおよびそれぞれのフォルダーは特定の送信器に基づいて、作成することができます。―― ビジネスあるいは個々のエンドユーザ加入者。
【００４８】
まだ、別の変化はopt−in電子メールの前もって定義したカテゴリーです。例えば、opt−in「ニュース」、「申込」あるいは「ビルズ」札はそういうものとして関連する電子メールに付け、次に、目的地でそれぞれのフォルダーにその電子メールをルートさせることができるかもしれないし、ソートすることがでかもしれません。送信器特効薬folderingシステムさえはセット・アップすることができます。さらに、アメリカの主要なダイレクト・マーケティング・リスト・ブローカーは、消費者とビジネスのリストの何千ものカテゴリーを持っています;さらに、賃貸料のための30,000の営利上利用可能なリストがあります。その発明は、これらのすべてのカテゴリーのユニークなコード・セット/アイデンティファイアーをセット・アップすることができます;さらに、これらは、一般的な「広告」目的地フォルダーあるいはそのカテゴリー特効薬フォルダーに送信することができます。
【００４９】
発明の直接の懇請方法について記述するいくつかの新しい用語はそうです--「許可を逆にしてください。トレードマーク．」「逆、opt−in．トレードマーク．「「そして選択、opt−in．トレードマーク．」求められない商用電子メーの送信器および受取人のために発明によって提案された基礎的な「社会契約」は、それです、と、受取人は発明のユーザ・インターフェース(例えばフォルダー)と対話します、彼/彼女は選んでいるイン;そうでなければ、それらは内容を無視することができます。したがって、発明は送信のポイントで、許可を得ます――初め(として、の中で、opt−in、あるいは許可に基づいた電子メール)のポイントでではない。したがって、一部分、それは、求められない容積商用電子メールの送信と関係する問題を克服することを目標とします。その発明は、「正当な」販売業者がそれらの顧客および見通しのもとへ求められない通知および広告を送ることを可能にする計画を提供します。
【００５０】
それは、従来のオフライン・ダイレクト・マーケティング産業(アメリカ)の「開いた送信および直接の懇請プラットフォーム」(テレマーケティングおよびダイレクト・メイル)によって顧客に通信し踏査するための遍在のチャンネルになることができました。全産業(通信販売、人口分析データ収集)は、この開いたプラットフォームに単独で依存します。すべてのテレマーケティング呼び出しあるいはすべてのダイレクト・メイルがなければならなかった場合、opt−in、あるいは与えられた許可、それは、産業の成長を非常に制限していたでしょう;その資料収集および目標とする方法論の、そして言及へのではない使用;受理および目標とされた開始の楽しみおよび適切なメイル。現在、たとえ個人がビジネスのオフライン顧客でも、もし個人が明示的な同意(許可に基づいて、選んでくださるイン)を与えていなければ、ビジネスは求められないメッセージあるいは提供物を送ることから禁止されます。直接の懇請は、すべての主な従来の通信チャンネル(電話、メイルおよびテレビ)によって普通ですが、それはそれほどオンラインではありません。これはビジネスおよび広告主の両方のための大きなハンディキャップです。一部分、それは、伝える「社会的に受理可能な」手段を提供することを目標とします――直接の懇請、1つの/k/a、求められない--商用容積電子メール――目標とした、あるいは放送された――Optin.トレードマーク.送信が、受取人および受取人の一般電子メールインボックスと離れている専用目的地フォルダーにある場合、システムは、それらを見るか、見ない選択権を持っています。
【００５１】
発明者は信じます：それ、個人の電子メールインボックスの非常に組込み性質および現在の送信チャンネル、その電子メールとの任意のパーティーによって目標が定められる、アドレスする、求められない商用電子メール(「スパム」)に対する現在の懸念用の主要な推進力だった;それ、それらの顧客および見通しへのアメリカのビジネスによる求められないか直接の懇請、によって、その、すべての主な従来の通信チャンネル(例えばメイルおよび電話、よく確立され受理した;それ、全産業(通信販売、リスト・ブローカーおよび人口分析データ収集者(履行センターおよびサービス))は、直接の懇請の実行に依存します;それ、もし適切に伝えられれば、ほとんどの消費者は電子メールによって適切で目標とされた提供物を受理してもよい(歓迎しないにしても)、しかしない(ちょうど)の中で、その、非常に個人--現在の技術の電子メールインボックス、そして未発表。
【００５２】
現在の発明の教えに従って、電子メールシステムは示されます、それは先のシステムおよび解決策に関連した損失を本質的に除去するか縮小し、新しい解決策利点を提供します。
【００５３】
現在の発明(特別のコード・セット(それらの生成)を使用する電子メールシステム)の1つの実例に従って、それらのフィルタリング、それらの特殊扱いが提供されます。
【００５４】
現在の発明の1つの実例に従って、コード・セットはヘッダーに位置して、タグまたはコードです、あるいは身体、1つの、電子メールスペシャル・アドレシング方法あるいは任意の卓越して特別の前もって定義した卓越した方法。
【００５５】
現在の発明の1つの実例に従って、コード・セットは貢献することができるか、あるいは1つを越える特定のアクションを教えることができます。コード・セットの多数のレベルがありえます。さらに、例えば、コード・セットアイデンティファイアーが付けられるという事実は、非アイデンティファイアー達する電子メールとそれを識別します。次に、それはカテゴリー内にサブカテゴリーあるいはより特定のカテゴリーに特定の目的地インターフェースあるいはルートさせられるフォルダーを教えることができます。そのような電子メールのためのフォルダーが目的地で存在しない場合、電子メールは、次のよりお偉方のレベル・カテゴリー・フォルダーに送信することができます。例えば、電子メール、スーパーマーケット・フォルダーが存在しない場合、「スーパーマーケット」カテゴリーとしてコード・セットを運ぶことは「ローカルの広告」フォルダーに置かれるかもしれません、「ローカルの広告」フォルダーがその後存在しない場合、一層、その、発明のデフォルト・メイン・フォルダー。
【００５６】
現在の発明の1つの実例に従って、発明目的地folderingシステムは、加入者のデフォルト電子メールクライアントと離れているかもしれません;あるいは、それはそれがそうかもしれないいくらかのためにそれにさらに統合することができます、デフォルトのローカルの電子メールクライアント――それがすべての電子メールのための少なくとも1つの他のフォルダーを作成するところで、ない、関係コード・セットおよびその標準を使用すること。
【００５７】
現在の発明の一層の実例によれば、広告主は、それらの同一性の入力により、および立証プロセスの後に発明の引き渡せるネットワークを通って彼らの電子メールをその後伝えることを望みます。また、希望のカテゴリーを選んだ後に、特別のコード・セットあるいはアイデンティファイアーは送信器に供給されるでしょう。その後、送信器はそれらの電子メールにそのようなコード・セットを付けることができます。
【００５８】
現在の発明の1つの実例に従って、主題あるいは送信器の同一性を教えるユニークなコード・セットのフィルターによって、ISPでは、それらの加入者に送信された電子メールのタイプを決定するさらにオプションを持っているかもしれません。競争するISPからの広告提供物は除外することができます。ある主題あるいは送信器を置くこと、の上で「リストを承認しませんでした」各ISPにそれぞれで、それぞれのコード・セットで、これをすることができます。あるいは、商用電子メール送信はすべてそれぞれの加入者のフィルダーへの分配を考慮に入れる前に再考のためのISPに最初にをルートさせることができます。例えば、ISPは競争するISPから広告を除外するかもしれません。それはサーバー・レベル、あるいはローカルのフィルターするレベルに遂行することができます。
【００５９】
現在の発明の1つの実例に従って、発明の標準およびコード・セットを使用する電子メールは、それらの指定のカテゴリー・インターフェースあるいはフォルダーに送信されます。
【００６０】
現在の発明の1つの実例に従って、複合のフォルダーおよびカテゴリー・システムを使用する場合、これらのフォルダーの各々はある前もって定義して従属するカテゴリーに基づきます。例えば、「ビル」フォルダーは、ビルズとインボイスと関係する電子メールを受け取ることができます、「申込」フォルダーはできる、ニュースおよび寄付された情報サービスと関係する受信電子メール――これらはそうだったために一般に認められます、opt−in、あるいは許可、基づきました。あるいは、それにタブあるいは他のフォルダーへのリンクを含む単一のマスター・フォルダーがありえます。あるいは特にその特に送られた性質および電子メールのカテゴリーを示す視覚的な印で強調されるために引き起こされるためにそのとき電子メールフォルダーを自由に怠る現在のこつに送信される場合。
【００６１】
現在の発明の1つの実例に従って、個々の人口分析のカテゴリーはそれ自身のコード・セットを割り当てることができます、そしてフォルダーのために、例えば、1つの「飛行機、操縦する」あるいは下位範疇さえ――」単一のエンジン飛行機、操縦する。」
発明の1つの実例では、主要な加入者が、目的を目標とすることの世帯の代表です。1つの理性があって、主要な加入者名およびアドレスは、ISPからの加入者によって購入されたサービス用の請求先とISPに区別ができられると仮定されます。主要な加入者が世帯の他のメンバーと特別のフォルダーを共有したければ、フォワーディングあるいは「cc」は行うことができます。例えば、夫が主要な加入者ならば、彼は彼の妻のフォルダーへ「MyAds」のカテゴリーの下の電子メールをすべて転送することに決めてもよい。発明システムはそのようなユーザ機能を提供するでしょう。そのような電子メールはそれ自身のコード・セットを持つことができ、それ自身の目的地フォルダーに送信することができます。
【００６２】
「Yahoo!さらに、フィルターする技術の制限およびどのユーザがフランスによって始まるか識別する際の困難さによりコートの判断への従順が技術的な不可能性になるだろうと主張しました。しかしエキスパートのパネル、どれ、含んでいること。。インターネットの初期の建築家、フランスのユーザの高い割合を実際成功裡に特に閉鎖することができるかもしれないと結論を下した、それらはフランスのインターネット・サービス・プロバイダーによって接続しました。ソフトウェア・メーカーは米国に基づいたQuovaのように、同意します。(彼)彼の技術がYahoo!を許可するだろうと述べました。およそ90%の精度でユーザの起源を置くために。」新聞発表。
【００６３】
オンライン目標の概要、そして直接、e-mail/売買
発明のデータ・ベース写像システムおよび方法は関連づけます、に、使用する、1つの、名前とアドレスはリストします、また電子メールおよびインターネット・サービス・プロバイダーの1つ以上の加入者/顧客リスト/データ・ベース。電子メールおよびインターネット・サービス・プロバイダーの加入者/顧客リスト/データ・ベースは、請求先および電子メールアドレスを持つでしょう、あるいはそれらの加入者/顧客の他のある目標が定められるIPアドレス。それは、両方のリストに載っている、一致した名前およびアドレスへの目標とされた電子メールの送信を有効にするためにそのようなものを使用するでしょう。
【００６４】
発明によって解決された問題のうちのいくつかはシステムを含んでいます、また、第三者を可能にする方法が命名する、また、抽出、写像あるいは追加する(電子メールアドレスの、第三者名およびアドレスへの)をために電子メールおよびインターネット・サービス・プロバイダーの加入者データ・ベースに一致するか写像されるアドレス(つまり郵便のアドレス)はリストする。現在まで、発明者は、これらの加入者データ・ベースが第三者名およびアドレス・リストに写像することに利用可能になっていないと信じます――ので、電子メールがアドレスしても、販売業者に供給された、それらは求められていないコミュニケーションを送ることからの慣習を出荷する、現在の「推奨された」電子メールによって禁止されました。さらに、発明は、電子メールおよび発明サービス・プロバイダーが完全に続くことができるシステムおよび方法に備えます、一致した名前(電子メールアドレス)およびアドレスのような加入者データを安全にする、まだ電子メールが一致した名前およびアドレスの加入者に連絡することを可能にする、これは様々な手段によって遂行されます。現在の技術の電子メールアドレスを得るか追加するための手段は第1に一つずつ得る手動の過程を通じてありました――のために、opt−in、あるいは基づいた許可、あるいは電子メールアドレスの収集のためにロボットあるいはそのようなプログラムを使用することその発明は、電子メールおよびインターネット・サービス・プロバイダーの加入者の電子メールアドレス・データ・ベースの使用の系統的で自動化された方法に備えます。
【００６５】
発明の方法、写像については、目的地加入者への広告かマーケティング資料の送信が含んでいます、電子メールアドレスを追加するISPの加入者データ・ベースへの写像;意図した加入者の装置のIPアドレス;対話型のもののユニークなIPのように、インターネットまたは電子メールはテレビを可能にしました。対話型テレビのために、最新の世代、データを格納するために信号を変換するためにモニター使用法に、セットトップ・ボックスを使用します。さらに、それはユニークなアドレスを持っています。それらの電子メールアドレスのような他の加入者情報でのように、このIPアドレスは目的を目標とするために世帯を識別するために使用することができます。対話型テレビケーブル・ネットワークプロバイダーはIPアドレスを知っています。
【００６６】
発明の写像方法は地図に希望の名前およびアドレスに、送信器を可能にします、電子メールおよびインターネット・サービス・プロバイダーの加入者データ・ベースにリストし、前述の名前およびアドレスへのそれらの広告の送信をしたがって有効にする。電子メールコミュニケーションはさらにありえます、発明のコード・セットで付きまとった、また受取人でそれぞれの目的地電子メールフォルダーにルートさせられました。例えば、コミュニケーションが指定の「広告フォルダー」にその後直接の懇請広告である場合、現在の発明の教えに従って、電子メールとインターネット・サービス・プロバイダーの人口分析のダイレクト・マーケティング/メイルリストおよび加入者データを使用する方法、示される、どれ、本質的に、損失を除去するか縮小する、先のシステムおよび解決策に関係していた、また新らしいを提供します。
【００６７】
現在の発明の1つの実例に従って、オンライン・インターフェースかコンピューターはサーバー/データ・ベースにアクセスするために提供されます。そのような「ブローカー」は/データ・ベースを切断します、含んでいる、あるいはアクセスするためにネットワークにつながれる、1つ以上の人口分析データ・ベースおよび1つ以上の加入者データ・ベース。自由に、人口分析データ・ベースおよび加入者データ・ベースは別々に収容することができます。典型的に、広告主はブローカーのシステムで探索を行なうだろうか、あるいは名前とアドレスのリストを持つでしょう。ブローカーの人口分析のサーバーで人口分析の探索を場合、それらは様々なカテゴリーから選択することができ、名前とアドレスを得ることができます。一旦名前およびアドレスが得られれば、その後、加入者電子メールアドレスへ写像する過程は始めることができます。そのような名前およびアドレスはリストします、選択された電子メールおよびインターネット・サービス・プロバイダーのサーバーの1つ以上に送られる、プログラムと一致しているおよび写像している。一致した結果は出力されます、広告主に供給されるそのような情報。
【００６８】
現在の発明の1つの実例に従って、opt−in、電子メールあるいは許可に基づいたリストは「逆」です、産出するべき1つ以上の人口分析データ・ベースを写像した、より大きな人口分析のプロフィール、また名前およびアドレス、電子メールアドレスに関係していた、加入者データ・ベースへの電子メールアドレスの写像によって、また名前およびアドレスを得ること、写像、人口分析データ・ベースへの名前およびアドレス、いくつかの電子メールアドレス、でないかもしれない、身元確認可能、として、またISP加入者データ・ベース。他の電子メールアドレスは郵便のアドレスへ、だが名前にではなく身元確認可能かもしれません ―― 例えばAOL.TM。加入者のアカウントについていくつかの追加の電子メールアドレス(他の指定されていない家庭のメンバーによって使用されるかもしれない大部分)を許可します。
【００６９】
現在の発明の1つの実例に従って、無料の(払わないか、基づいた非申込)電子メールサービスは、そのユーザの名前およびアドレスを得て、このように、人口分析データ・ベースで写像することができる加入者データ・ベースを構築することができます。尋ねる代わりに、のために、任意、名前およびアドレス、それらのユーザからの情報、また、そのようなデータが「主観的である」と考えることができる場合、彼らはクレジットカード情報を提供してくれるようにユーザに依頼することができます。そのようなクレジットカード情報はユーザの名前および郵便のアドレスを確認する(「客観的に))使用です。そのような情報はクレジットカード産業の立証手続きで確認されます。例えば無料の電子メールサービス・プロバイダー--Hotmail。トレードマーク。あるいはYahoo!。トレードマーク。名前およびアドレス立証のみのためのそれらのユーザのクレジットカードを求めることができ、代わりに、クレジットカード情報の非プロバイダーに利用可能でない追加のサービスを恐らく提供します。
【００７０】
現在の発明の一層の実例によれば、加入者は人口分析のディレクトリーからそのようなフォルダー/カテゴリーを選ぶことができ、このように、もたらすことができます、それら、関連させ/そのような人口分析のカテゴリーでリストされました。そのような協会は既存の人口分析データ・ベースに合併することができるか、あるいは人口分析のカテゴリーが第三者データ出所から起こしたかもしれない主題として、人口分析データ・ベースへのそのような新しい追加を別々に維持することができますが、従属する人口分析のカテゴリーのすべての探索に今までどおりアクセス可能になりえます。加入者は「魚を釣る」、発言権「ゴルフ」上で、それら自身を選択しリストし、それらの主題エリアの下の電子メールを送っている送信器から提供物を得ることができます。加入者についてのある付加的な人口分析の情報は販売業者がさらに加入者を定義するのを助けるためにそのデータに加えることができます。フォルダーはサブフォルダーを持つことができます。それは、発明のローカルのクライアントの能力にすべて依存します。加入者のリストするデータは、システムの選択されたカテゴリーの下の人口分析データ・ベースに加えられ作りました、探索に利用可能、によって、広告します。非常に発明のシステムでの人口分析データのので、(しかしながら)第三者によって提供されると推定される、人口分析データプロバイダー、そのような新しいリスト(発明のシステムによって生成された)は、30のパーティーから別々に維持されるべきです、人口分析データ(あるいは恐らく信用した、加入者のISPに)。例えば、「ゴルフ」カテゴリーの下では、加入者のそれについての情報は任意にそれら自身をリストしました、第三者のデータからの個別の分野で保持されます。
【００７１】
その発明は、さらに、ユーザが懇請電子メールに構成するか答えることことを望むところで送る匿名の電子メールに、それらの電子メールアドレスを明らかにすることなしで方法とシステムを提供します。匿名の返答/リクエストは電子メールクライアント・インターフェースの一部です。ユーザは匿名の返答/リクエスト特徴を選択し、電子メールを発送します。システムは電子メールをチェックし、ユーザ電子メールアドレスを自動的に生成され、一度だけ使用できる電子メールアドレスに取り替えるでしょう。このメッセージを受け取る広告主は、今までどおりこのメッセージに答えることができます。また、システムはメッセージをチェックし、ユーザの電子メールアドレスを更新し、ユーザにそれを送信します。しかしながら、その単一の送信後、電子メールアドレスは無効になって、誰もそれにメッセージを再び送信することができないです。
【００７２】
電子メールバナートレードマークの概要。
【００７３】
1つの電子メール(「電子メールバナー」)用の「グラフ式、バナースタイル・ディスプレイ」。それは、現在の「テキスト」のみの電子メールヘッダーに1つの、豊富、視覚的でかつ、または対話型--グラフ式のバナーディスプレイで、典型的な電子メールアドレス・ヘッダー情報(その「から」「に」「主題」など)を提供することを意味します。それは、オンライン広告バナーに、およびサイズを変えることに、視覚的に類似しているかもしれません。そのような目的地アプリケーションがインストールされない場合、そのようなものを構成し表示する目的地クライアント・インターフェースおよび付属の広告か、マーケティング資料にアプリケーションがあるでしょう。次に、正常か現在の技術電子メール「テキスト・ヘッダー」は使用されるでしょう。
【００７４】
発明によって解決された問題のうちのいくつかは、現在の電子メールテキスト・ヘッダーが豊富なグラフ式のイメージ(ビデオ、色、絵など)を伝えることができず、制限のある水平のスペースに制限されるということです。ちょうど郵便メールでのように、広告用の封筒は、種々様々の設計、色、形およびサイズに来ます;その発明は、電子メールに対する比較可能な値を提供します。
【００７５】
現在の発明の教えに従って、電子メールインボックスおよび電子メール表示、およびシステムは発表され、それは先のシステムおよび解決策に関連した不利を本質的に除去するか縮小し、新しい解決策を提供します。
【００７６】
現在の発明の1つの実例によれば、ディスプレイのようなグラフ式のバナーは電子メール用のテキストに基づいたヘッダーのために現在の技術インボックスの代わりの中で使用されます。それは典型的な電子メールプロトコル上に輸送され、目的地クライアントで表示されます。それは、適切なサイズおよびスタイルのテンプレートがユーザに供給されるオンライン・ウェブ・インターフェースで作成することができます。ユーザは、様々な方法でヘッダーを型にはめることができます。もし望まれれば、送信器名、意図した受取人の名は、各ヘッダーへ自動的に占められます。受取人名が利用可能でないところで、「居住者」が挿入することができます。ハイパーリンクあるいは他の資源は、典型的な電子メール身体を含むヘッダーに付けられます。受取人の目的地アプリケーションはヘッダー関係電子メールを認識し、そのようなものを表示します。目的地アプリケーションがヘッダー関係電子メールを認識しない場合、デフォルト電子メールクライアントはそれを扱うでしょう。
【００７７】
現在の発明の1つの実例によれば、単一のキャンペーンでのグラフ式のバナーは受取人の既知の人口統計に基づく定性することができます。例えば、加入者がそのとき「男性」であると考えられれば、青い背景は電子メールバナートレードマークの背景に自動的に満たすことができます。「女性」の場合、ピンクの背景。これはフォント・スタイルおよびイメージまで及ぶことができます。加入者の好ましい第二言語が既知の人口分析の値である場合、翻訳を提供することができます、しかし、他の加入者は支配的な言語で同じことを受信します。
【００７８】
電子メールBannerm.TM.の概要。
【００７９】
現在の技術の電子メールヘッダー・システムはビューアーにそれらのヘッダー情報を提供するためにテキストに基づいたシステムを使用します。これは、同じ外観および封筒を使用することを郵便メールすべてに強いることに匹敵するように見られます;人にとっては、販売業者がそれらのメイルの区別において困難があります。発明は、現在の技術――線、テキストに基づいたヘッダーに対立するものとしての電子メール用の「豊富なグラフ式バナースタイル・ヘッダー」に備えます。このグラフィックス・ディスプレイはオンライン・バナー広告にルックとフィールにおいて類似していて、オフライン・ダイレクト・マーケティング封筒と類似しています。それは一般に送信器の情報、主題および受取人の名前(電子メールの主題)を含むことができます。電子メールバナー・トレードマークそのようなものを受け取るその専用目的地「フォルダー」かインターフェースに送信されます。各電子メールバナー・トレードマーク主要な広告身体あるいは他のオンライン資源にリンクすることができます。加入者が削除し、保存し、返答することができるように、ユーザ目的地インターフェースは典型的な電子メールクライアントとして同様の機能を持っています。電子メールバナー・トレードマーク異なるサイズおよび形でありえます。―― 例えば小さな、ミディアム、そして大きな--また、商用送信器は課すことができます。
【００８０】
従来のダイレクト・マーケティング産業、広告封筒の生成および使用、あるいは外部のメイラーパッケージでは、本質的に個別で重要な技術であると考えられる――受取人の注意を得て、それらに封筒をオープンすることを強いています。現在の電子メールテキストヘッダーに基づいたシステムでは、ダイレクト・マーケターが他の電子メールとそれらの「封筒」(つまり電子メールヘッダー)の相違を区別できません。その商用広告提供物用ヘッダーのグラフ式解釈は受取人にもっと視覚的な要求を訴えて、受取人のテキストヘッダー基づいた「スパム」から思うより豊富な情報および一層の距離を伝えます。注意を引きつけて、かつアクションを強いるグラフ式バナーの重要性は現在のウェブ・ページ・バナー広告に使用されます。
【００８１】
電子メールバナー・トレードマークは異なるサイズ、形および特性を持つ――例えば、マウス・カーソルが電子メールバナーの上に移動する場合、ある対話型のメッセージはバイナリー・ファイル(例えば音、絵およびビデオ)が送信器販売部などにリンクされた「即時のメッセージ」機能さえ等、活性化、添付できるように活性化させられます。各々は広告の本体かか追加の資源にリンクすることができます。受取人が電子メールバナートレードマークヘッダーを表示するアプリケーションを持っていない場合、従来のヘッダー・スタイルは支配するために電子メールバナーシステムは制定られます。広告の本体は現在の技術と同じです。一つの例において、グラフ式バナーのヘッダー電子メールはこのようなアイデンティファイアー顕示を含みます。またそのようなヘッダーを変換し表示することができる目的地アプリケーションにルートさせられるました。識別されなかった場合、正常なものとして、電子メールを扱いそれに表示します。
【００８２】
電子メールバナー・トレードマークのためのインターフェースあるいは「インボックス」はブラウザーあるいはポップアップ・ウィンドウに似ているかもしれません。これらの電子メールバナー・トレードマークは垂直にまたは水平にレイアウトすることができます。システムはインボックスの内容を周期的に更新することができます。例えば電子メールバナー・トレードマーク、また無効それに読まれていないの広告本体は削除できます。さらに電子メールバナー・トレードマークは様々な方法でソートすることができます;デフォルト分類は、「到着」あるいはメールの消印に基づくことができます。
【００８３】
情報、例えばその送信器名或いはロゴのための「から」フィールド、「主題」エリア、「に」エリア等。その「に」は加入者の名前「ジョンQ.スミス氏」でファイルすることができる、あるいは1つの「住民」でもいいです。送信器は、電子メールバナー・トレードマーク中のそれぞれのフィールドのために一つのスタイルを選定すれば、このフィールドのデータは人口分析データ・ベース・フィールドあるいは加入者データ・ベース・フィールドから変換することができます。
【００８４】
それは、電子メール、伝送、取り扱いおよびディスプレイ用の豊富なグラフィックスバナースタイルに基づいたヘッダーに方法とシステムを提供する発明の目的です。
【００８５】
それは、オンライン・テンプレートを含む創造、かつそれらの創造的な既存の広告に広告主によってそのようなものを追加すること、そのようなものの生成に方法とシステムを提供する発明の目的です。
【００８６】
それはグラフィックスバナースタイル電子メールヘッダー中の適切なフィールドに自動的に入れ込む方法とシステムを提供する発明の目的です、その「から」「に」「主題」フィールド。
【００８７】
上記と他の目的はこのドキュメントに発表されます。これらおよび発明の他のオブジェクトは、発明、添付図面および追加された請求の次の詳細な記述によって技術に熟練している人々が明白になります。
【００８８】
発明の概要
現在の発明が実現すること――これのさまざまな部分に集合的にかつ／または独立的に―― 前のシステムは行っていません：現在の技術電子メールシステムとして比較可能な機能をすべて持っている電子メールシステムを提供する予定で、そうであるために提供することができます、1つの、アドオン、に、あるいは主要なローカルの電子メールクライアントを交換するために、その送信システムが送信器およびそれらの電子メールに単に使用可能なところで、それはそれらの電子メールのルーティングおよび送信の準備ができていたシステム・オペレータの所有者の使用法の標準、プロトコルおよびコードを使用する、そしてどこで、送信器あるいは識別されていない電子メールを承認しなかった、たとえそれらが現在の技術がルートさせて目標とする方法として受取人の電子メールアドレスを使用している一方、発明は「承認した」と言う手段を識別する1つ以上の追加の層を使用します、送信器/電子メール、電子メールの主題か、カテゴリー、および意図した受取人の目的地クライアントのそれらの指定の目的地フォルダー、それは見ることができます、として、1つの、自給自足、しかし社会(電子メールシステム(それは現在の技術電子メールシステムを使用する))、プロトコルと分配を輸送する――しかししたがって個人と所有者のシステムである、それは、そのシステムのユーザをちょうどコントロールしなければなりません;
発明を促進する、第1の自動マッピング、および第三者への電子メールとインターネットのサービスの加入者と顧客のデータ・ベースに含まれていた電子メールアドレスの追加することに備える、命名する、そしてアドレスリスト、ユーザが電子メールおよびインターネット・サービス・プロバイダーのそのようなデータ・ベースあるいはブローカーに直接行くことができるところで、システム、それはシステムがブラインド探索に備えるところで、様々な加入者データ・ベースにさらに好かれて、順番にある、そして一致する、その結果電子メールアドレス、持っていないために、中間のブローカー、さらに電子メールの加入者および顧客リスト、およびインターネット・サービス・プロバイダーは、それらの加入者および顧客の人口分析データを産出するために1つ以上の人口分析データ・ベースに写像されて逆にすることができます、
さらに、その発明は豊富なグラフ式バナースタイル電子メールヘッダーを提供し、現在の技術テキストに基づいたヘッダーおよび書インボックスインターフェースと、その生成用テンプレート、伝送、ローカル目的地クライアント示することのテンプレートに使用されるインターフェースを表示します。
【００８９】
用語説明
コード・セット――このアプリケーションのコンテクストにあって、電子メール送信器およびレシーバー(それらは受信電子メールサーバーの指示か、電子メールに対する「処置」又は対処を講ずるプログラムで、それらを指定の目的地フォルダーに配信することを含む)にあらかじめ設置するいくつかの規則或いはコードという意味です。任意の可能なカテゴリーに基づいて、例えばビルズ、申込、広告、送信器特性、目的地グループ特性、高いプライオリティ等；フォワーディング--現実に、「あるアクション」は送信器とレシーバー中に事前打ち合わせされたか先決されたすべてのアクションでありえます。
【００９０】
加入者--電子メールとインターネットアクセスのサービス・プロバイダーの顧客で、サービスに対する報酬のために郵便アドレスを提供されました。さらに、無料の電子メールかインターネットアクセス・サービスに対し、ユーザの身元およびアドレスを検証するために、クレジットカード或いは類似した物が必要です。さらに加入者のアカウントの他のユーザから区別するために「マスター」あるいは「メイン」加入者と呼ばれる――例えば、AOL.comのインターネットアクセス加入者は、多数の電子メールアドレスを持つことを認められます、主要な加入者はビリングアドレスに関連したパーティーです。
【００９１】
送信可能なネットワーク--電子メールおよびインターネット・サービス・プロバイダーのネットワークは加入者データ・ベースに発明の特別コード・セット、標準と取り扱いロトコルと／または提供するアクセスを使用し、それらの名前およびアドレスリストの写像を許可します。
【００９２】
電子メールおよびインターネット・サービス・プロバイダー(或いは単なる)--これらは電子メールまたはインターネットのサービスを提供するオンライン・サービスです。電子メールサービス・プロバイダーの例はHotmail、Yahoo!のようなウェブ電子メールサービスで、インターネットコネクションサービスの例はAOL、Earthlinkなどです。
【００９３】
人口分析(値、プロフィール、データ)-- これは一般的な用語として使用されます。一般に、主なコンポーネントは次のとおり：サイコグラフィック--一般に目標聴衆の心理学上の組立て;地理的--目標位置(例えば、州、「セクション中心設備」、郵便番号、郡および大都市圏);人口分析-年齢、収入レベル、財産、性別および個人の他の人口動態統計までに与えられた人口の量的特性。ビジネス・リストへのビジネスは一般的に産業、仕事機能、従業員の数、販売或いは指定製品を提示しました。出所--www.edithromam.com(アメリカのトップ5のダイレクト・マーケティング・リスト・ブローカー)
電子メール(Ｅメール)--この用語は、例えば制限無く、テキスト、ドキュメント、ファイル、グラフィカルなオブジェクト、データ・オブジェクト、マルチメディア内容、オーディオ/音ファイル、ビデオファイル、MPEGファイル、JPEGファイル、GIFファイル、PNGファイル、HTMLおよびXMLドキュメント、アプリケーション、フォーマットされたドキュメント(例えばワード・プロセッサー、スプレッド・シート・ドキュメントあるいはファイル) 、MP3ファイル、アニメーション、写真およびインターネットのような通信網上に送信することができる他のファイル、ディジタルあるいはマルチメディア内容等、ドキュメント、電子メールメッセージおよびどんなアタッチメントも広くそれに包含するように意図されます。。
【００９４】
電子メールおよびインターネット・サービス・プロバイダーに関して--その発明は、その配信可能なネットワークで、ISPおよび電子メールサービス・プロバイダーの所有者のシステム用のアプリケーションを調整します。異なるタイプのサービス・プロバイダーがいます(「ISP」)。ISPは電子メールとインターネットアクセスのサービスを含んでいます――PC、電子メールおよびインターネット使用可能、対話型テレビ、電子メール、SMSおよびインターネット使用可能無線パーソナル通信装置によりものです。これらのISPはそれらのサービスおよび加入者データ・ベースによって区別されますが推奨されたデフォルト電子メールシステムおよび電子メールクライアントです。例えば： これらのISPは自分の専営の電子メールクライアント(ローカル、あるいはウェブ(例えばAOL.TM.)を提供します。さらに、それらの加入者の郵便(つまりビリング)名前およびアドレスを持っています。が、それらは、既知の郵便のアドレスにより地理学的に目標とすることができます、それらは「従来の」ダイレクト・マーケティング人口分析データを欠きます(それらは他のデータ収集方法があるかもしれません、例えばクッキー、トラッキング、クリックストリームなど)もう一つはフリーのISP(例えばNetzero.TM.、 Yahoo! .TM.、Hotmail.TM.)で、それらはユーザによる志願する人口分析情報がありますが、志願だから、それらは正しくないかもしれないし、あるいは「主観的かもしれません」。したがって、一般に、それらは電子メールクライアント(ローカルに、あるいはウェブ)をコントロールするが、「従来の」人口分析情報がなく、さらに、それらのユーザの「目標」郵便 (つまりビリング)アドレスがありません。しかしながら、彼らは、フリー加入者からアドレス「追加」用だけのクレジットカード情報を要求できます。それは発明のデータ・ベース写像システムに写像されました。
【００９５】
これらのISPはインターネットアクセスを提供しますが、ウェブ電子メールサービスあるいはローカルの電子メールクライアントを提供しないです。それらの加入者は典型的には第三者ソフトウェア(例えばOutlookトレードマーク、ユードラ・トレードマーク)を使用します。しかし、これらのISPはそれらの加入者郵便 (ビリング)アドレス(しかし人口分析情報の不足)があります。例えば、タイム・ワーナー・ロード・ランナー・ケーブル・インターネット・サービス――タイム・ワーナー・ロード・ランナー(ケーブル)がそれらの加入者のローカル・コンピューターに彼らのアプリケーションをインストールしないです。Earthlink.TM. DSLはローカルの電子メールクライアントを提供しないが、ウェブ電子メールサービスを提供します。ローカルの電子メールクライアントへのプラグ・インは提供することができます。さらに、これらのSPによって加入者に供給されるローカル・モデム(対話型テレビの場合、セットトップ・ボックス)にローカル・アプリケーションおよびシステムをインストールすることは可能です。
【００９６】
もう一つは電子メール・クライアント・アプリケーション・プロバイダー(Outlook・トレードマーク、ユードラ・トレードマーク)です、それらはローカル電子メール・アプリケーションだけを提供しますが、加入者の郵便情報をもっていないで、もちろん人口統計情報も提供しますが、インターネットへのアクセスではないです。しかし、いくつかのISPプロバイダーが優先ローカル電子メールクライアントとして彼らの加入者によって有効使用を仮定するのために、これらは重要です。私たちのアプリケーションおよびそれのユーザ・インターフェースはそれらのソフトウェアの設置の時、あるいは部分インストールによって、「デフォルト」電子メールクライアントへ「プラグ」されました。
【００９７】
もう一つはローカル電子メールクライアント・アプリケーション・プロバイダーおよびウェブ・サービス・プロバイダーです。MSN HotmailおよびMSNエクスプローラ。マイクロソフト・トレードマークはOutlookトレードマークをコントロールします。そして、さらに、それらのISPサービスによってインターネット・サービスを提供します。MSN HotmailはOutlook 2002に最近統合されました。Outlook 2002はいくつかの制限の他に全面的なHotmailサポートを含んでいます。Outlook 2002はHTTPをサポートして、Exchange 2000でMSNアカウントおよびメールボックスへのアクセスができますが、他のHTTPメールサーバへのアクセスをサポートしないです。したがって、Hotmailが発明のコード・セットアイデンティファイアーシステムを使用している場合、その電子メールがOutlookにルートさせられることができます。そこで、ユーザは、Outlookフォルダーへのコード・セット電子メールをルートできるようにフォルダーを構成します。
【００９８】
さらに、マイクロソフト・パスポートの.NETパスポート(あるいは同様のオンライン財布)、すべての.NETパスポート・サイトで1つのサインイン名前およびパスワードを提供する財布中のメンバーの情報です。それはインターネットアクセスまたは電子メールのサービスを提供しません。しかし、そのようなサービスは名前およびアドレス、ユーザの電子メールアドレスを持っています。個人のそのような財布に個人データの人口分析プロファイルを得るかアペンドするために、名前およびアドレスおよび(または)それらのメンバーの電子メールアドレスはデータ・ベースに逆写像されてかもしれません。.NETパスポート・サイトは、この補足情報を電子メールアドレスへ目標とされた広告を送るために使用することができます。
【００９９】
したがって、1つのISPが加入者データ・ベースおよびローカルとウェブ電子メールクライアントをコントロールしているかもしれない一方、別のISPは加入者データ・ベースを単に持っているかもしれません。発明の様々なコード・セットおよびルーティングシステム、アプリケーション、データ・ベース写像、加入者のコンピューターの目的地インターフェースなどは、各ISPのシステムおよび優先権に適応させるべき様々な実例を引き受けることができます。例えば、1つのISPは、すべての広告関係の電子メール用の単一の目的地フォルダーだけを許可するかもしれません。そして電子メールのカテゴリーに関係なく、全ての広告電子メールがそのフォルダーにルートさせられるだろう;別のものは多数の広告フォルダーを許可するかもしれません。
【０１００】
発明がその様々な実例への言及で明確に説明された一方、形式と詳細の様々な変更が、発明のスビリッツおよび範囲から外れずに行なわれるかもしれないことは技術に熟練している人々によって理解されるでしょう。
【発明を実施するための最良の形態】
【０１０１】
図1 について、 101は、送信器は広告主またはブローカーです。電子メールのコード化は、あらかじめ定められたコード・セットあるいはアイデンティファイアーを使用して、電子メールヘッダー、本体および(または) あらかじめ定められたコード・セットあるいはアイデンティファイアを使用するアタッチメントを含む電子メールのどんな部分も組み合うことを意味します。1つのあらかじめ定められたコード・セットあるいはアイデンティファイアという実例はXMLを使用しています。1例は以下のとおりです：
1 ＜MYSORTS rev=1.021＞ ＜ADS＞＜INDUSTRY type="SUPERMARKET"＞ ＜DIGITALSIG＞1sadhv934- 18foiq3j8f31j0ru10329ur02138jf931u4- 321j9dp084n10o8rj03148jr31＜- /DIGITALSIG＞ ＜COMPANY＞Waldbaums ＜/COMPANY＞＜MSG＞10% off at all waldbaums store tonight only＜/MSG＞＜DISCVALUE＞10%＜/DISCVALUE＞ ＜DISTZIP＞11510＜/DISTZIP＞＜IMG＞http：//www.walb- aums.com/logo.gif＜/IMG＞ ＜URL＞http：//www.walbaums.com- /＜/URL＞ ＜/INDUSTRY＞＜LIFESPAN＞ ＜STARTDATE＞ 11/01/01＜/STARTDATE＞ ＜ENDDATE＞11/30/01＜/ENDDATE＞ ＜/LIFESPAN＞ ＜/ADS＞ ＜/MYSORTS＞
【０１０２】
この例は、MYSORTS修正版1.021を使用するコードのセクションを示します。それは「Waldbaums」によって伝送られた広告です。それは寿命(それはそれがいつ終了するかは受取人メイル・システムから自動的に取り除かれるだろうということを意味する)があります。
【０１０３】
102は、電子メールは受取人の電子メールサーバーにルートさせられます。
【０１０４】
103は、受取人の電子メールサーバーのアプリケーションはあらかじめ定義されたアイデンティファイアがあるか、メイルをチェックします。前の例において、そのアプリケーションはアイデンティファイア・ペア＜MYSORTS＞および＜/MYSORTS＞をチェックします。
【０１０５】
At 103. An application on recipient's email server checks the mail for pre-defined identifiers. In the previous example, the application will check for identifier pair ＜MYSORTS＞ and ＜/MYSORTS＞.
105は、電子メールがあらかじめ定められたアイデンティファイアを持っていない場合、電子メールは通常通り送信られます。
【０１０６】
106に。電子メールがアイデンティファイアをあらかじめ定めた場合、電子メールは認証情報があるかチェックします。前の例での認証部分は会社名とデジタル署名を使用しています。送信器はそれらの秘密鍵を使用して、電子メールに署名します。受取人サーバーは送信器の公開鍵を使用する電子メールという送信器情報を検証することができます。送信器はそれらの公開鍵を使用して、電子メールを暗号化できます。そしてレシーバーは秘密鍵を使用して、電子メールを解読することができる。
【０１０７】
108は、もし送信器が認証に失敗すれば、イベントは記録られ、電子メールメッセージは無効になります。
【０１０８】
109は、送信器が認証される場合、電子メールメッセージは受取人のメールボックスに送信られ、受取人の電子メールアプリケーションにアクセス可能になります。
【０１０９】
110は、受取人の電子メールアプリケーションはマークが付けられた電子メールメッセージを読み、対応する分類されたフォルダーにそれをストアします。「電子メールアプリケーション」はウェブ・ベースの電子メールアプリケーション、ローカルの電子メールアプリケーション、他のウェブ及び電子メール使用可能装置を含んでいます。
【０１１０】
図2 の実例Aについて、201は、広告主とブローカーを含んでいる送信器はマッチング電子メールアドレスを探索するために1つ以上のISPのシステムに名前とアドレスのデータを送ります。
【０１１１】
202は、ISPのサーバーのアプリケーションはマッチレコードに名前とアドレスのデータ、またISPのデータ・ベースを探索します。
【０１１２】
203は、マッチング結果は電子メールアドレスです。
【０１１３】
204は、ISPのシステムは、マッチング電子メールとアドレス値を送信器に通知します。送信器は結果のすべてあるいは部分を使用することを決定します。ISPのサーバーは、送信器に実際の電子メールアドレスを送らないで、かわりにマッチング電子メールアドレスを表わす1つ以上の別名を作成し、送信器に利用可能になります。
【０１１４】
205は、送信器は受取人電子メールアドレスとして別名を使用します。
【０１１５】
実例Bについて、251は、送信器はマッチング電子メールアドレスを探索するために1つ以上のISPのシステムに名前とアドレスのデータを送ります。
【０１１６】
252は、ISPサーバーのアプリケーションは各名前とアドレスのセット、またマッチングレコード用のISPのデータ・ベースを探索します。
【０１１７】
253は、ISPは送信器にマッチングレコード値を提供します。送信器は、マッチング電子メールアドレスのすべてあるいは部分をとることを決定できます。選択された電子メールアドレスは受取人になります。
【０１１８】
254は、送信器はISPのシステムへ電子メールをロードします。
【０１１９】
255は、ISPは受取人に電子メールを送信します。
【０１２０】
図3 について、302は、電子メールバナーはアタッチメントとして電子メールメッセージにアタッチすることができます。あるいは、それは電子メール本体の一部でありえます。
【０１２１】
303は、受取人の電子メールアプリケーションはローカルの電子メールアプリケーション、ウェブに基づく電子メールアプリケーションあるいは任意のウェブ、電子メール使用可能装置を含んでいます。
【０１２２】
304は、受取人の電子メールアプリケーションが使用可能になった電子メールバナーでない場合、電子メールは電子メールバナーなしで正常な電子メールメッセージとして表示されます。
【０１２３】
306は、受取人の電子メールアプリケーションが使用可能になった電子メールバナーであれば、電子メールアプリケーションは電子メールバナー部分を読み、電子メールバナーの中のコードを処理します。
【０１２４】
307は、受取人の電子メールバナ―を含んでいる電子メールリストを見ることを要求する場合、受取人の電子メールアプリケーションはグラフ式のバナーとして処理された電子メールバナー部分を表示します。
【０１２５】
図4 について、図4は図1の方法およびシステムにつき、主要なメニューにアクセスするための主要なタブである「タブ」501を備えた目的地電子メールクライアントの実例で、この主要なメニューが1つ以上の目的地カテゴリー・フォルダーが利用可能なところです。さらに、システムはユーザ/加入者を代表する主要なメニューの中で新しいフォルダーを作成します。
【０１２６】
図5 について、 図5は図1の方法およびシステムにつき、目的地カテゴリー・フォルダーである「タブ」503を備えた目的地電子メールクライアントの実例です。各フォルダーは、電子メールコード・セットをリストし、表示します。
【０１２７】
図6は図1の方法およびシステムにつき、目的地電子メールフォルダーあるいはインターフェース505加入者の家またはポータルページのもう一つの実例です。1つの「私の家族」フォルダーは、加入者によって、ある人口分析のカテゴリーと関係する電子メールを検索するように選定されました。
【０１２８】
図7は図1の方法およびシステムにつき、ウェブ電子メールクライアント上の目的地電子メールフォルダーあるいはインターフェース507の実例です。この実例は3つのフォルダーを示します (「About」「私のOpt-inメイル」および「私の広告」)。ウェブ電子メールサービス・プロバイダーは、更にローカルのクライアント・フォルダーへ電子メールを転送することができます。
【０１２９】
図8は図1の方法およびシステムにつき、ローカル電子メールクライアント(例えばMicrosoft Outlookトレードマーク)上の目的地電子メールフォルダー/インターフェース509および511の実例です。このローカルのクライアントは、図7に記述されるようにウェブ電子メールクライアントからフォワードされた電子メールを受信することができます。
【０１３０】
図9、図1の方法およびシステムにつき、ISPの「現在の技術」電子メールクライアントCの実例で、例えば発明のフォルダタブ521を備えた「AOL.com」です。タブの選択はそのフォルダーをオープンします。図9(D)は発明の匿名の応答者機能523の実例です。起動される523は匿名の返答電子メール著者をオープンします。
【０１３１】
匿名の返答は電子メールクライアント・インターフェースの一部です。発明あるいは目的地電子メールクライアント・サービス・プロバイダーはそれを扱うことができます。電子メール受取人/ユーザは匿名の返答/リクエスト特性を選択し、電子メールを送信します。発明システムは電子メールをチェックし、受取人/ユーザ電子メールを自動的に生成された一度だけ使用できる電子メールアドレスで更新します。このメッセージを受け取る広告主は、今までどおりこのメッセージに答えることができます。また、発明システムはメッセージをチェックし、受取人の電子メールアドレスを更新、ユーザにそれを送信します。しかしながら、そのシングル送信後、電子メールアドレスは無効になって、誰もそれにメッセージを再び送ったことができなくなります。一度だけ使用できる電子メールアドレスがどのように生成されるかの例です：
システムは使用されたすべての電子メールアドレスのリストL1を保存します;
システムは、すべてのた一度だけ使用できる電子メールアドレスおよびそれぞれの実際電子メールアドレスのあるテーブルT1を含みます;
アルゴリズムはランダムに電子メールアドレスA1を生成します;
【０１３２】
システムはA1にマッチすることがあるかどか確かめるためにリストL1を探索します;
はいの場合、ステップcに戻る;
いいえの場合、アドレスA1が一度だけ使用できる電子メールアドレスとして使用され、電子メールがフォワードされました;
システムはテーブルT1をA1とカウンター・パートの実際電子メールアドレスで更新する;
A1への返答に際して、システムはT1およびユーザにマッチする。
【０１３３】
図10は、カテゴリー・フォルダー「MyAds」をオープンした実例Eです。これは、フォルダーが現在の技術「テキスト・ヘッダー」電子メールリスト525、発明の電子メールバナー・トレードマーク527および529のリストをどこで使用しているかの展開です。Fは527選択下の電子メールのディスプレー実例です;二者択一で、広告メッセージを含んでいるセパレーツのポップ・アップブラウザー・ウィンドウは表示することができるか、または他の広告主のウェブページにコネクトします。
【０１３４】
図11(G)は、その指定の電子メールでオープンされた指定目的地申込フォルダー531を表示します。
【０１３５】
図11(H)は ある電子メールがフォルダーで「ハイライトされた」場合の実例です。
【０１３６】
図12は対話型電子メールおよび(または)インターネットか、デジタルTV(衛星またはケーブル)ための電子対話型テレビガイド/ユーザ・インターフェースでの主要な目的地フォルダー541の実例です。541はテレビ・リモート・コントロールかキーボード上のキーによってアクセスされ、一つかより多くの目的地フォルダーをオープンする。発明の授権プログラムはロードされ、対話型テレビに備えるセットトップ・ボックスで蓄えることができる、または対話型テレビサービス・プロバイダー(akaケーブル・ネットワーク・オペレーター)のヘッドエンドに位置することができます。
【０１３７】
いくつかの対話式テレビシステムのセットトップ・ボックスのオペレティング・アプリケーションプロバイダーは次の通り：Worldgate(wgate.com)-「チャンネル・ハイパーリンクを使用し、世界中のケーブル加入者がテレビ用の新しい対話型のパラダイムの利点を既に獲得しています。この技術は視聴者にテレビ番組か広告から直接関連するウェブに基づく対話型の内容までリンクする(1個のボタンのタッチで)ことを可能にします。チャンネル・ハイパーリンクはトピック、製品或いはサービスそれにオンライン・ショッピングと対話型のプログラム機会についての豊富な情報、例えば、ゲーム番組あるいは調査に答える能力等にテレビ視聴者を接続します。ビューアーは単にそれら無線のキーボード上のボタンに触れるか、リモート・コントロールだけでそれらが見ていたプログラムに直ちに返ります。」「WorldGateの対話型のサービスの加入者は電子メール、ゲーム、チャット、カレンダー、地方性内容、Ｔ商業、対話型プログラミングおよび広告、ウェブアクセス等の娯楽および情報価値を楽しむことができます。」www.wgate.com。
【０１３８】
別のものはliberate――Liberate Technologies Overview： Liberate Technologiesは世界中のテレビ視聴者に増強された内容及びサービスを送信するためのオープンプラットフォームの主要なプロバイダーです。メージャー・ケーブル及び衛星テレビオペレーター、テレコミュニケーション会社およびインターネット・サービス・プロバイダーはLiberateソフトウェア・プラットフォームの使用によって消費者満足を増加させて、かつテレビ・セットに関する革命的な2つの方法経験の提供により、新しい収入を創造します。これらの対話型のディジタル・サービスは増強されたテレビ放送、電子プログラム・ガイド、ビデオ・オン・デマンド、個性化された内容(地方記事、天候および他の情報を含む)、テレビ雑談、即時メッセージ、デジタルビデオ録音およびさらにもっとたくさんを含んでいます。」http：//corporate.liberate.com/
【０１３９】
図13 について、図12の中の541のアクチベーションに際して、様々な目標とされた広告はiTVのスクリーンでiTVサービスの加入者に見せられます。各広告はリモート・コントロールかキーボードによって選択されています。広告の「バナー」部分は加入者/ユーザによって、セットトップ・ボックスそれに広告の選択によってヘッドエンドサーバーからダウンストリームした主体のローカル一時記憶装置にストアされる。
【０１４０】
図14 及び15について、図14は図3の電子メールバナートレードマーク方法およびシステム毎につき、目的地インボックス551の実例です。それは情報の異なるサイズおよび豊富の様々な「バナー」553を表示します-いくつかは絵だけで、いくつかはミックス絵とグラフィックスなどです。
【０１４１】
555は発明の他のカテゴリー・フォルダーへのタブです――これらはバナ―電子メールトレードマークにで基づいた必要がありません。――この実例は、発明のカテゴリー・フォルダー用の主要なメニューである電子メールバナーを持っています。ここで加入者が対話に「勧められた」か、それらの他の「ビルズ」及び「申込」フォルダーにアクセスする前に広告を見ることです。557は選択ボックスで、そこでは、ユーザが選択するか、削除するかか、広告を保存することができます。
【０１４２】
図15は電子メールバナーの電子メール本体の2つの可能な実例です;ブラウザー・ウィンドウを表示するか、ユーザをある広告主のウェブ・ページへ連れて行くか、二者択一である。電子メールバナーはさらにビデオストリームでありえます。
【０１４３】
図16 について電子メールおよびインターネット・サービス・プロバイダーの加入者リストに人口分析値「逆写像」の実例は提供されます。写像プログラムは、協力リスト所有者の人口分析リストと、アップライン或はあらかじめ写像されたデータを名前とアドレスリストに添付し、それに加入者リストがオプションとしてそれに追加されます。各加入者の総計人口分析プロフィール(協力する第三者の人口分析データ・ベース有効性に基づく)を作成できることと、随意のISPが従属する名およびアドレスにサービスを提供することはその目的です。従来のリスト或は人口分析カテゴリーおよび各リストへ名およびアドレスを「写像」することは一般にその全体を販売/賃貸 (制限した人口分析写像が許可され、例えば地理的なデータで、それは任意の人口分析カテゴリー名およびアドレス・リストにあるデフォルト「第二人口分析」値)。これは従来のダイレクト・マーケティングマー/メーリング・リストとの主要な区別である。
【０１４４】
しかしながら、オンライン電子メールマーケティングで、加入者の電子メールとIPアドレスは恐らく人口分析データと同じくらい重要です。したがって、この発明は、ISPの加入者データ・ベース中の名前およびアドレスに様々な人口分析プロフィールおよび値を逆に写像します。そのようなもののいくつかの利点は一つの捜索者が2つ以上のサイコグラフ基準、「ライフスタイル・セレクター」としててのaka、例えば――(趣味、レクリエーション、ライフスタイル(地理的、かつ人口分析であると同様に)――を選択することができるということで、それにリアル・タイムにおいて、例えば捜索者は「巡航休暇」、「高齢者」、「ゴルフ」および「ワイン」カテゴリー・リストを合併させ、すべてに合う個人だけを捜索します。。さらに、人口分析カテゴリー・リストは個別のパーティーに所有それに更新されます;システムは協力するリスト所有者に項目化された方式でどんな料金も追跡し適切に帰着するでしょう。
【０１４５】
アメリカでは、賃貸料に利用可能な約30,000の商用リストがあります。これらの範囲はサイコグラフとライフスタイル人口統計データからSICなどまでです。1つの実例の実例で、ライフスタイル人口分析データは加入者のライフスタイル人口分析データベースを作成するために使用されます。何千ものカテゴリーおよびリストがあって、ライフスタイル・カテゴリーは主なカテゴリーにフィールドを狭くすることを可能にします。一つの主要リスト・ブローカーは18個の主なカテゴリーを持っています：例えば、「活動的な旅行者」――更に区分し――観光船で休暇、ビジネス旅行、楽しみのために旅行/休暇、外国に旅行、国内に旅行、頻繁に飛行士;「素晴らしい生活」--文化的技術、美術、休暇住宅所有者、ワイン;「クレジットカード」--任意のクレジットカード、銀行、ガス、部店、旅行/娯楽。
【０１４６】
図16は、様々な人口分析とISP値が名前とアドレスのリスト「データ・カード」に写像され追加されたデータ値を表示します。
【０１４７】
従属個人用の561はブローカーあるいは従属データ・ベース所有者のアイデンティファイアです; 従属個人用の565はISPのアイデンティファイアで、随意に使用の要望を持って、ISPが従属個人にユニークな偽の電子メールアドレス565を供給することができます、そのような偽の電子メールアドレスの解読はISPしか知られていないで――あるいは電子メールアドレスリストプロバイダー;567は従属個人に関連した人口分析カテゴリーです;569は人口分析カテゴリー・データのプロバイダーか所有者の身元で、一つのターゲッティングが協力する人口分析データ・ベースプロバイダーx6から提供される人口分析値に基づいて成られる場合―適切な料金属性は制定されるためです。idタグはデータ探索および操作を支援する役目をします。
【０１４８】
563および565につき、多くの個人が一つより多くの電子メールとインターネット・サービス・プロバイダーの加入者あるいは顧客です。したがって、名前およびアドレス・リストシステム或はブローカーは、どのISPが優先選択なのかを管理する規則をインプリメントする、あるいは予期される捜索者/広告主はその決定をなすかもしれません。
【０１４９】
図16は2つのISPと2つの人口分析データを表示します;しかしながら、人はそのようなものがさらに多くのことを包括すると理解できます。
【０１５０】
一つのデータ・ベース使用実例は「園芸」と「休暇」に興味を持っていた個人を探索することができ、そのような結果を得ることができるということです、優先のISPを選択し、そして人口分析データを使用する適切な属性をそれぞれの人口分析データプロバイダーに制定します。
【０１５１】
様々なデータ・ベース・サーバーおよびプログラムは写像、探索及び外のデータ機能に使用されます。それぞれのデータ出所は各フィールドを周期的に更新することができます。例えば、ISP1は月四半期の単位で加入者データを周期的に更新することができます。オリジナル名およびアドレス・リストは任意のディレクトリーとアドレスリストからもできます。
【０１５２】
電話番号分野でのNPA-NXX-XXXXは北アメリカの電話番号計画(NANP)によによって使用される現在のフォーマットです。「老化の定義が当てはまる電話番号は既存の地理的な電話交換局(NXX)コード内に10桁NANP数字フォーマットです(NPA-NXX-XXXX)．．．」www.nanpa.com;www.atis.org。
【０１５３】
技術に熟練している人々は、現在の発明の方法および装置が多くの応用を持っており、ここに記述された代表的な例に限られていないです。さらに、技術に熟練している人々に知られていたように、現在の発明の範囲は慣例通りにステム・コンポーネントへの修正と変化をカバーします。
【図面の簡単な説明】
【０１５４】
【図１】発明の電子メールコード・セット方法およびシステムの図表です
【図２】ISPデータ・ベース写像方法およびシステムの図表です。
【図３】電子メールバナー方法およびシステムの図形です。
【図４】ISPの所有者の電子メールクライアントにある主要な目的地フォルダーです。
【図５】ISPの所有者の電子メールクライアントにある目的地フォルダーです。
【図６】ISPのポスト・ログオン・ポータル・ページにある目的地フォルダー/インターフェーススキームです、。
【図７】ウェブ電子メールクライアントにあるの目的地フォルダーです。
【図８】ローカルの電子メールクライアントにあるの目的地フォルダーです。
【図９】電子メールクライアントのさらなる実例です。
【図１０】目的地カテゴリー・フォルダーおよび電子メールバナー・トレードマーク・スキームのさらなる実例です。
【図１１】目的地カテゴリー・フォルダーとハイライトのさらなる実例です。
【図１２】電子メールあるいは対話型テレビ使用可能のインターネットにある主要な目的地フォルダーです。
【図１３】対話型テレビ上の広告カテゴリー・リスト・ディスプレイの実例です。
【図１４】電子メールバナーの主要なディスプレイです。
【図１５】電子メールバナーからのオープンされた電子メール用の代替方法です。
【図１６】従属加入者用の写像「カード」のある逆データ・ベースです。
【図１】
2005506604.tif 000003
【図２】
2005506604.tif 000004
【図３】
2005506604.tif 000005
【図４】
2005506604.tif 000006
【図５】
2005506604.tif 000007
【図６】
2005506604.tif 000008
【図７】
2005506604.tif 000009
【図８】
2005506604.tif 000010
【図９】
2005506604.tif 000011
【図１０】
2005506604.tif 000012
【図１１】
2005506604.tif 000013
【図１２】
2005506604.tif 000014
【図１３】
2005506604.tif 000015
【図１４】
2005506604.tif 000016
【図１５】
2005506604.tif 000017
【図１６】
2005506604.tif 000018
【国際公開パンフレット】
2005506604.tif 000019
2005506604.tif 000020
2005506604.tif 000021
2005506604.tif 000022
2005506604.tif 000023
2005506604.tif 000024
2005506604.tif 000025
2005506604.tif 000026
2005506604.tif 000027
2005506604.tif 000028
2005506604.tif 000029
2005506604.tif 000030
2005506604.tif 000031
2005506604.tif 000032
2005506604.tif 000033
2005506604.tif 000034
2005506604.tif 000035
2005506604.tif 000036
2005506604.tif 000037
2005506604.tif 000038
2005506604.tif 000039
2005506604.tif 000040
2005506604.tif 000041
2005506604.tif 000042
2005506604.tif 000043
2005506604.tif 000044
2005506604.tif 000045
2005506604.tif 000046
2005506604.tif 000047
2005506604.tif 000048
2005506604.tif 000049
2005506604.tif 000050
2005506604.tif 000051
2005506604.tif 000052
2005506604.tif 000053
2005506604.tif 000054
2005506604.tif 000055
2005506604.tif 000056
2005506604.tif 000057
2005506604.tif 000058
2005506604.tif 000059
2005506604.tif 000060
2005506604.tif 000061
2005506604.tif 000062
2005506604.tif 000063
2005506604.tif 000064
2005506604.tif 000065
2005506604.tif 000066
2005506604.tif 000067
2005506604.tif 000068
2005506604.tif 000069
2005506604.tif 000070
2005506604.tif 000071
2005506604.tif 000072
2005506604.tif 000073
2005506604.tif 000074
2005506604.tif 000075
2005506604.tif 000076
2005506604.tif 000077
2005506604.tif 000078
2005506604.tif 000079
2005506604.tif 000080
2005506604.tif 000081
2005506604.tif 000082
2005506604.tif 000083
【国際公開パンフレット（コレクトバージョン）】
2005506604.tif 000084
2005506604.tif 000085
【国際調査報告】
2005506604.tif 000086
2005506604.tif 000087
2005506604.tif 000088